(57)【要約】アップリンク（ＵＬ）多入力多出力（ＭＩＭＯ）送信パラメータおよび送信を制御するための方法および装置が開示される。無線送受信ユニット（ＷＴＲＵ）は、複数のストリームの送信のために、ブロックサイズまたはトランスポートフォーマットコンビネーションなどのパラメータを決定することができる。ＷＴＲＵは、ＷＴＲＵが計算した仮想グラントをセカンダリストリーム上で使用しながら、送信電力を調整して、個別物理データチャネルが両方のストリーム上で同じレベルで送信されることを保証することができる。
2015525537.tif 000002
【特許請求の範囲】
【請求項１】
ノードＢからランクおよびオフセット情報を受信するように構成された回路と、
前記オフセット情報およびプライマリストリームの送信電力を使用して、セカンダリストリームのランク２送信において使用することをＷＴＲＵが許可された仮想サービンググラント（ＳＧ）を計算するように構成された回路と、
拡張個別チャネル（Ｅ−ＤＣＨ）多入力多出力（ＭＩＭＯ）送信上でデータを前記ノードＢに送信するように構成された回路であって、前記ＭＩＭＯ送信は、前記計算された仮想ＳＧに基づいた前記セカンダリストリームを含む、回路と
を備えることを特徴とする無線送受信ユニット（ＷＴＲＵ）。
【請求項２】
Ｅ−ＤＣＨパラメータは、前記ランク２送信のための最小トランスポートブロックサイズを指定することを特徴とする請求項１に記載のＷＴＲＵ。
【請求項３】
前記ランク情報は、ランク２を許可する値またはランク２を許可しない値を示すことを特徴とする請求項１に記載のＷＴＲＵ。
【請求項４】
前記ランク情報は、送信時間間隔（ＴＴＩ）ベースで適用されることを特徴とする請求項１に記載のＷＴＲＵ。
【請求項５】
前記ＷＴＲＵは、拡張トランスポートフォーマットコンビネーションインジケータ（Ｅ−ＴＦＣＩ）がランク２送信のための最小トランスポートブロック（ＴＢ）サイズよりも小さい場合、ランク１のための拡張送信フォーマットコンビネーション（Ｅ−ＴＦＣ）選択手順を実行するように構成される
ことをさらに備えることを特徴とする請求項１に記載のＷＴＲＵ。
【請求項６】
前記プライマリストリームの拡張送信フォーマットコンビネーション（Ｅ−ＴＦＣ）選択手順の構成に基づいて、前記セカンダリストリームを送信するようにさらに構成された前記回路
をさらに備えることを特徴とする請求項１に記載のＷＴＲＵ。
【請求項７】
割り当てられたリソースを前記ノードＢから受信するように構成された回路
をさらに備え、
現在の送信を行っている前記ＷＴＲＵが、割り当てられたＳＧを利用しており、前記計算された仮想ＳＧを利用しており、前記ＷＴＲＵが、前記ＭＩＭＯ送信においてより高いデータレートで送信するのに十分な電力を有する場合、ビットがアンハッピーになるように設定される
ことを特徴とする請求項１に記載のＷＴＲＵ。
【請求項８】
再送のために別のセカンダリストリームのための拡張送信フォーマットコンビネーション（Ｅ−ＴＦＣ）選択手順を提供するように構成された回路
をさらに備え、
別のプライマリストリームのためにサポートされるＥ−ＴＦＣが前記別のプライマリストリーム上の再送のためのブロックサイズよりも小さい場合、前記ＷＴＲＵは、ランク１送信を実行するように構成される
ことを特徴とする請求項１に記載のＷＴＲＵ。
【請求項９】
再送のために別のセカンダリストリームのための拡張送信フォーマットコンビネーション（Ｅ−ＴＦＣ）選択手順を利用するように構成された回路
をさらに備え、
別のプライマリストリームのＳＧに基づいた、スケジュールされたデータのビットの数が、ランク２送信のための最小トランスポートブロックサイズ（ＴＢＳ）よりも大きい場合、前記ＷＴＲＵは、前記計算された仮想ＳＧを使用するように構成される
ことを特徴とする請求項１に記載のＷＴＲＵ。
【請求項１０】
ランク２送信のための前記プライマリストリームの正規化残余電力マージン（ＮＲＰＭ）を推定するように構成された回路であって、前記プライマリストリームは、実質的に前記ＮＲＰＭの半分を使用するように構成される、回路
をさらに備えることを特徴とする請求項１に記載のＷＴＲＵ。
【請求項１１】
無線送受信ユニット（ＷＴＲＵ）によって実行される方法であって、
ノードＢからランクおよびオフセット情報を前記ＷＴＲＵによって受信するステップと、
前記オフセット情報およびプライマリストリームの送信電力を使用して、セカンダリストリームのランク２送信において使用することを前記ＷＴＲＵが許可された仮想サービンググラント（ＳＧ）を前記ＷＴＲＵによって計算するステップと、
拡張個別チャネル（Ｅ−ＤＣＨ）多入力多出力（ＭＩＭＯ）送信上でデータを前記ノードＢに前記ＷＴＲＵによって送信するステップであって、前記ＭＩＭＯ送信は、前記計算された仮想ＳＧに基づいた前記セカンダリストリームを含む、ステップと
を含むことを特徴とする方法。
【請求項１２】
Ｅ−ＤＣＨパラメータは、前記ランク２送信のための最小トランスポートブロックサイズを指定することを特徴とする請求項１１に記載の方法。
【請求項１３】
前記ランク情報は、ランク２を許可する値またはランク２を許可しない値を示すことを特徴とする請求項１１に記載の方法。
【請求項１４】
前記ランク情報は、送信時間間隔（ＴＴＩ）ベースで適用されることを特徴とする請求項１１に記載の方法。
【請求項１５】
拡張トランスポートフォーマットコンビネーションインジケータ（Ｅ−ＴＦＣＩ）がランク２送信のための最小トランスポートブロック（ＴＢ）サイズよりも小さい場合、ランク１のための拡張送信フォーマットコンビネーション（Ｅ−ＴＦＣ）選択手順を前記ＷＴＲＵによって実行するステップ
をさらに含むことを特徴とする請求項１１に記載の方法。
【請求項１６】
前記プライマリストリームの拡張送信フォーマットコンビネーション（Ｅ−ＴＦＣ）選択手順の構成に基づいて、前記セカンダリストリームを前記ＷＴＲＵによって送信するステップ
をさらに含むことを特徴とする請求項１１に記載の方法。
【請求項１７】
割り当てられたリソースを前記ノードＢから前記ＷＴＲＵによって受信するステップ
をさらに含み、
現在の送信を行っている前記ＷＴＲＵが、割り当てられたＳＧを利用しており、前記計算された仮想ＳＧを利用しており、前記ＷＴＲＵが、前記ＭＩＭＯ送信においてより高いデータレートで送信するのに十分な電力を有する場合、ビットがアンハッピーになるように設定される
ことを特徴とする請求項１１に記載の方法。
【請求項１８】
再送のために別のセカンダリストリームのための拡張送信フォーマットコンビネーション（Ｅ−ＴＦＣ）選択手順を前記ＷＴＲＵによって提供するステップ
をさらに含み、
別のプライマリストリームのためにサポートされるＥ−ＴＦＣが前記別のプライマリストリーム上の再送のためのブロックサイズよりも小さい場合、前記ＷＴＲＵは、ランク１送信を実行するように構成される
ことを特徴とする請求項１１に記載の方法。
【請求項１９】
再送のために別のセカンダリストリームのための拡張送信フォーマットコンビネーション（Ｅ−ＴＦＣ）選択手順を前記ＷＴＲＵによって利用するステップ
をさらに含み、
別のプライマリストリームのＳＧに基づいた、スケジュールされたデータのビットの数が、ランク２送信のための最小トランスポートブロックサイズ（ＴＢＳ）よりも大きい場合、前記ＷＴＲＵは、前記計算された仮想ＳＧを使用するように構成される
ことを特徴とする請求項１１に記載の方法。
【請求項２０】
ランク２送信のための前記プライマリストリームの正規化残余電力マージン（ＮＲＰＭ）を前記ＷＴＲＵによって推定するステップであって、前記プライマリストリームは、実質的に前記ＮＲＰＭの半分を使用するように構成される、ステップ
をさらに含むことを特徴とする請求項１１に記載の方法。
【発明の詳細な説明】
【技術分野】
【０００１】
本発明は、アップリンク多入力多出力（ＭＩＭＯ）通信に関する。
【背景技術】
【０００２】
アップリンク送信レートについてのユニバーサル移動体通信システム（ＵＭＴＳ）広帯域符号分割多元接続（Ｗ−ＣＤＭＡ）規格の進展は、ダウンリンク送信レートに対してバランスが取れていない。多入力多出力（ＭＩＭＯ）技術は、アップリンクにおけるピークデータレートを高めるためにアップリンクについて考えられたものである。
【発明の概要】
【発明が解決しようとする課題】
【０００３】
アップリンク送信レートについてのユニバーサル移動体通信システム（ＵＭＴＳ）広帯域符号分割多元接続（Ｗ−ＣＤＭＡ）規格の進展は、ダウンリンク送信レートに対してバランスが取れていない。
【課題を解決するための手段】
【０００４】
アップリンク（ＵＬ）多入力多出力（ＭＩＭＯ）送信パラメータおよび送信を制御するための方法および装置が開示される。無線送受信ユニット（ＷＴＲＵ）は、ブロックサイズまたはトランスポートフォーマットコンビネーションなど、複数のストリームを送信するためのパラメータを決定することができる。ＷＴＲＵは、ＷＴＲＵが計算した仮想グラントをセカンダリストリーム上で使用しながら、送信電力を調整して、個別物理データチャネルが両方のストリーム上で同じレベルで送信されることを保証することができる。
【０００５】
より詳細な理解は、添付の図面を併用する、例として与えられた、以下の説明から得ることができる。
【図面の簡単な説明】
【０００６】
【図１Ａ】図１Ａは、１または複数の開示される実施形態を実施することができる例示的な通信システムのシステム図である。
【図１Ｂ】図１Ｂは、図１Ａに示される通信システム内で使用することができる例示的な無線送受信ユニット（ＷＴＲＵ）のシステム図である。
【図１Ｃ】図１Ｃは、図１Ａに示される通信システム内で使用することができる例示的な無線アクセスネットワークおよび例示的なコアネットワークのシステム図である。
【図２】図２は、スケジュールされていないグラントが送信される電力にどのように影響を及ぼすことができるかを示す図である。
【図３Ａ】図３Ａは、拡張個別チャネル（Ｅ−ＤＣＨ）トランスポートフォーマットコンビネーション（Ｅ−ＴＦＣ）選択のためのプロセスを示す図である。
【図３Ｂ】図３Ｂは、アップリンクＭＩＭＯ送信のためのランクを決定するプロセスを示す図である。
【図３Ｃ】図３Ｃは、プライマリストリームおよびセカンダリストリームのためのＥ−ＴＦＣを決定するプロセスを示す図である。
【図４】図４は、ＭＩＭＯ送信のために割り当てられたアップリンクリソースでＷＴＲＵがハッピー／アンハッピーである場合を決定する一例を示す図である。
【発明を実施するための形態】
【０００７】
図１Ａは、１または複数の開示される実施形態を実施することができる例示的な通信システム１００の図である。通信システム１００は、音声、データ、ビデオ、メッセージング、放送などのコンテンツを複数の無線ユーザに提供する、多元接続システムとすることができる。通信システム１００は、複数の無線ユーザが、無線帯域幅を含むシステムリソースの共用を通して、そのようなコンテンツにアクセスすることを可能にすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、およびシングルキャリアＦＤＭＡ（ＳＣ−ＦＤＭＡ）など、１または複数のチャネルアクセス方法を利用することができる。
【０００８】
図１Ａに示されるように、通信システム１００は、無線送受信ユニット（ＷＴＲＵ）１０２ａ、１０２ｂ、１０２ｃ、１０２ｄ、無線アクセスネットワーク（ＲＡＮ）１０４、コアネットワーク１０６、公衆交換電話網（ＰＳＴＮ）１０８、インターネット１１０、ならびに他のネットワーク１１２を含むことができるが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄの各々は、無線環境において動作および／または通信するように構成された任意のタイプのデバイスとすることができる。例を挙げると、ＷＴＲＵ１０２ａ、１０２ｂ、１０２ｃ、１０２ｄは、無線信号を送信および／または受信するように構成することができ、ユーザ機器（ＵＥ）、移動局、固定もしくは移動加入者ユニット、ページャ、セルラ電話、携帯情報端末（ＰＤＡ）、スマートフォン、ラップトップ、ネットブック、パーソナルコンピュータ、無線センサ、家電製品などを含むことができる。
【０００９】
通信システム１００は、基地局１１４ａおよび基地局１１４ｂも含むことができる。基地局１１４ａ、１１４ｂの各々は、コアネットワーク１０６、インターネット１１０、および／または他のネットワーク１１２などの１または複数の通信ネットワークへのアクセスを円滑化するために、ＷＴＲＵ１０２ａ、１０２ｂ、１０２ｃ、１０２ｄの少なくとも１つと無線でインターフェースを取るように構成された、任意のタイプのデバイスとすることができる。例を挙げると、基地局１１４ａ、１１４ｂは、基地トランシーバ局（ＢＴＳ）、ノードＢ、ｅノードＢ、ホームノードＢ、ホームｅノードＢ、サイトコントローラ、アクセスポイント（ＡＰ）、および無線ルータなどとすることができる。基地局１１４ａ、１１４ｂは各々、単一の要素として示されているが、基地局１１４ａ、１１４ｂは、任意の数の相互接続された基地局および／またはネットワーク要素を含むことができることが理解されよう。
【００１０】
基地局１１４ａは、ＲＡＮ１０４の部分とすることができ、ＲＡＮ１０４は、他の基地局、および／または基地局コントローラ（ＢＳＣ）、無線ネットワークコントローラ（ＲＮＣ）、中継ノードなどのネットワーク要素（図示されず）も含むことができる。基地局１１４ａおよび／または基地局１１４ｂは、セル（図示されず）と呼ばれることがある特定の地理的領域内で、無線信号を送信および／または受信するように構成することができる。セルは、さらにセルセクタに分割することができる。例えば、基地局１１４ａに関連付けられたセルは、３つのセクタに分割することができる。したがって、一実施形態では、基地局１１４ａは、送受信機を３つ、すなわち、セルのセクタ毎に１つずつ含むことができる。別の実施形態では、基地局１１４ａは、多入力多出力（ＭＩＭＯ）技術を利用することができ、したがって、セルのセクタ毎に複数の送受信機を利用することができる。
【００１１】
基地局１１４ａ、１１４ｂは、エアインターフェース１１６上で、ＷＴＲＵ１０２ａ、１０２ｂ、１０２ｃ、１０２ｄの１または複数と通信でき、エアインターフェース１１６は、任意の適切な無線通信リンク（例えば、無線周波（ＲＦ）、マイクロ波、赤外線（ＩＲ）、紫外線（ＵＶ）、可視光など）とすることができる。エアインターフェース１１６は、任意の適切な無線アクセス技術（ＲＡＴ）を使用して確立することができる。
【００１２】
より具体的には、上で言及されたように、通信システム１００は、多元接続システムとすることができ、ＣＤＭＡ、ＴＤＭＡ、ＦＤＭＡ、ＯＦＤＭＡ、およびＳＣ−ＦＤＭＡなどの、１または複数のチャネルアクセス方式を利用することができる。例えば、ＲＡＮ１０４内の基地局１１４ａ、およびＷＴＲＵ１０２ａ、１０２ｂ、１０２ｃは、広帯域ＣＤＭＡ（ＷＣＤＭＡ（登録商標））を使用してエアインターフェース１１６を確立することができる、ユニバーサル移動体通信システム（ＵＭＴＳ）地上無線アクセス（ＵＴＲＡ）などの無線技術を実施することができる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンクパケットアクセス（ＨＳＤＰＡ）および／または高速アップリンクパケットアクセス（ＨＳＵＰＡ）を含むことができる。
【００１３】
別の実施形態では、基地局１１４ａ、およびＷＴＲＵ１０２ａ、１０２ｂ、１０２ｃは、ロングタームエボリューション（ＬＴＥ）および／またはＬＴＥアドバンスト（ＬＴＥ−Ａ）を使用してエアインターフェース１１６を確立することができる、進化型ＵＭＴＳ地上無線アクセス（Ｅ−ＵＴＲＡ）などの無線技術を実施することができる。
【００１４】
他の実施形態では、基地局１１４ａ、およびＷＴＲＵ１０２ａ、１０２ｂ、１０２ｃは、ＩＥＥＥ８０２．１６（すなわち、マイクロ波アクセス用の世界的相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ（登録商標））、ＧＳＭエボリューション用の高速データレート（ＥＤＧＥ）、およびＧＳＭ  ＥＤＧＥ（ＧＥＲＡＮ）などの無線技術を実施することができる。
【００１５】
図１Ａの基地局１１４ｂは、例えば、無線ルータ、ホームノードＢ、ホームｅノードＢ、またはアクセスポイントとすることができ、職場、家庭、乗物、およびキャンパスなどの局所的エリアにおける無線接続性を円滑化するために、任意の適切なＲＡＴを利用することができる。一実施形態では、基地局１１４ｂ、およびＷＴＲＵ１０２ｃ、１０２ｄは、ＩＥＥＥ８０２．１１などの無線技術を実施して、無線ローカルエリアネットワーク（ＷＬＡＮ）を確立することができる。別の実施形態では、基地局１１４ｂ、およびＷＴＲＵ１０２ｃ、１０２ｄは、ＩＥＥＥ８０２．１５などの無線技術を実施して、無線パーソナルエリアネットワーク（ＷＰＡＮ）を確立することができる。また別の実施形態では、基地局１１４ｂ、およびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することができる。図１Ａに示されるように、基地局１１４ｂは、インターネット１１０への直接的な接続を有することがある。したがって、基地局１１４ｂは、コアネットワーク１０６を介して、インターネット１１０にアクセスする必要がないことがある。
【００１６】
ＲＡＮ１０４は、コアネットワーク１０６と通信することができ、コアネットワーク１０６は、音声、データ、アプリケーション、および／またはボイスオーバインターネットプロトコル（ＶｏＩＰ）サービスをＷＴＲＵ１０２ａ、１０２ｂ、１０２ｃ、１０２ｄの１または複数に提供するように構成された、任意のタイプのネットワークとすることができる。例えば、コアネットワーク１０６は、呼制御、請求サービス、モバイルロケーションベースのサービス、プリペイド通話、インターネット接続性、ビデオ配信などを提供することができ、および／またはユーザ認証など、高レベルのセキュリティ機能を実行することができる。図１Ａには示されていないが、ＲＡＮ１０４および／またはコアネットワーク１０６は、ＲＡＮ１０４と同じＲＡＴまたは異なるＲＡＴを利用する他のＲＡＮと直接的または間接的に通信することができることが理解されよう。例えば、Ｅ−ＵＴＲＡ無線技術を利用することができるＲＡＮ１０４に接続するのに加えて、コアネットワーク１０６は、ＧＳＭ無線技術を利用する別のＲＡＮ（図示されず）と通信することもできる。
【００１７】
コアネットワーク１０６は、ＰＳＴＮ１０８、インターネット１１０、および／または他のネットワーク１１２にアクセスするための、ＷＴＲＵ１０２ａ、１０２ｂ、１０２ｃ、１０２ｄのためのゲートウェイとしてもサービスすることができる。ＰＳＴＮ１０８は、基本電話サービス（ＰＯＴＳ）を提供する回路交換電話網を含むことができる。インターネット１１０は、ＴＣＰ／ＩＰインターネットプロトコルスイート内の伝送制御プロトコル（ＴＣＰ）、ユーザデータグラムプロトコル（ＵＤＰ）、およびインターネットプロトコル（ＩＰ）など、共通の通信プロトコルを使用する、相互接続されたコンピュータネットワークとデバイスとからなるグローバルシステムを含むことができる。ネットワーク１１２は、他のサービスプロバイダによって所有および／または運営される有線または無線通信ネットワークを含むことができる。例えば、ネットワーク１１２は、ＲＡＮ１０４と同じＲＡＴまたは異なるＲＡＴを利用できる１または複数のＲＡＮに接続された、別のコアネットワークを含むことができる。
【００１８】
通信システム１００内のＷＴＲＵ１０２ａ、１０２ｂ、１０２ｃ、１０２ｄのいくつかまたはすべては、マルチモード機能を含むことができ、すなわち、ＷＴＲＵ１０２ａ、１０２ｂ、１０２ｃ、１０２ｄは、異なる無線リンク上で異なる無線ネットワークと通信するための複数の送受信機を含むことができる。例えば、図１Ａに示されたＷＴＲＵ１０２ｃは、セルラベースの無線技術を利用することができる基地局１１４ａと通信するように、またＩＥＥＥ８０２無線技術を利用することができる基地局１１４ｂと通信するように構成することができる。
【００１９】
図１Ｂは、例示的なＷＴＲＵ１０２のシステム図である。図１Ｂに示されるように、ＷＴＲＵ１０２は、プロセッサ１１８と、送受信機１２０と、送信／受信要素１２２と、スピーカ／マイクロフォン１２４と、キーパッド１２６と、ディスプレイ／タッチパッド１２８と、着脱不能メモリ１３０と、着脱可能メモリ１３２と、電源１３４と、全地球測位システム（ＧＰＳ）チップセット１３６と、他の周辺機器１３８とを含むことができる。ＷＴＲＵ１０２は、一実施形態との整合性を保ちながら、上記の要素の任意のサブコンビネーションを含むことができることが理解されよう。
【００２０】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１または複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および状態機械などとすることができる。プロセッサ１１８は、信号符号化、データ処理、電力制御、入出力処理、および／またはＷＴＲＵ１０２が無線環境で動作することを可能にする他の任意の機能を実行することができる。プロセッサ１１８は、送受信機１２０に結合することができ、送受信機１２０は、送信／受信要素１２２に結合することができる。図１Ｂは、プロセッサ１１８と送受信機１２０を別々のコンポーネントとして示しているが、プロセッサ１１８と送受信機１２０は、電子パッケージまたはチップ内に一緒に統合することができることが理解されよう。
【００２１】
送信／受信要素１２２は、エアインターフェース１１６上で、基地局（例えば、基地局１１４ａ）に信号を送信し、または基地局から信号を受信するように構成することができる。例えば、一実施形態では、送信／受信要素１２２は、ＲＦ信号を送信および／または受信するように構成されたアンテナとすることができる。別の実施形態では、送信／受信要素１２２は、例えば、ＩＲ、ＵＶ、または可視光信号を送信および／または受信するように構成された放射器／検出器とすることができる。また別の実施形態では、送信／受信要素１２２は、ＲＦ信号と光信号の両方を送信および受信するように構成することができる。送信／受信要素１２２は、無線信号の任意の組み合わせを送信および／または受信するように構成することができることが理解されよう。
【００２２】
加えて、図１Ｂでは、送信／受信要素１２２は単一の要素として示されているが、ＷＴＲＵ１０２は、任意の数の送信／受信要素１２２を含むことができる。より具体的には、ＷＴＲＵ１０２は、ＭＩＭＯ技術を利用することができる。したがって、一実施形態では、ＷＴＲＵ１０２は、エアインターフェース１１６上で無線信号を送信および受信するための２つ以上の送信／受信要素１２２（例えば、複数のアンテナ）を含むことができる。
【００２３】
送受信機１２０は、送信／受信要素１２２によって送信される信号を変調し、送信／受信要素１２２によって受信された信号を復調するように構成することができる。上で言及されたように、ＷＴＲＵ１０２は、マルチモード機能を有することができる。したがって、送受信機１２０は、ＷＴＲＵ１０２が、例えば、ＵＴＲＡおよびＩＥＥＥ８０２．１１などの複数のＲＡＴを介して通信することを可能にするための、複数の送受信機を含むことができる。
【００２４】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニットもしくは有機発光ダイオード（ＯＬＥＤ）ディスプレイユニット）に結合することができ、それらからユーザ入力データを受け取ることができる。プロセッサ１１８は、スピーカ／マイクロフォン１２４、キーパッド１２６、および／またはディスプレイ／タッチパッド１２８にユーザデータを出力することもできる。加えて、プロセッサ１１８は、着脱不能メモリ１３０および／または着脱可能メモリ１３２など、任意のタイプの適切なメモリから情報を入手することができ、それらにデータを記憶することができる。着脱不能メモリ１３０は、ランダムアクセスメモリ（ＲＡＭ）、リードオンリメモリ（ＲＯＭ）、ハードディスク、または他の任意のタイプのメモリ記憶デバイスを含むことができる。着脱可能メモリ１３２は、加入者識別モジュール（ＳＩＭ）カード、メモリスティック、およびセキュアデジタル（ＳＤ）メモリカードなどを含むことができる。他の実施形態では、プロセッサ１１８は、ＷＴＲＵ１０２上に物理的に配置されたメモリではなく、サーバまたはホームコンピュータ（図示されず）などの上に配置されたメモリから情報を入手することができ、それらにデータを記憶することができる。
【００２５】
プロセッサ１１８は、電源１３４から電力を受け取ることができ、ＷＴＲＵ１０２内の他のコンポーネントへの電力の分配および／または制御を行うように構成することができる。電源１３４は、ＷＴＲＵ１０２に給電するための任意の適切なデバイスとすることができる。例えば、電源１３４は、１または複数の乾電池（例えば、ニッケル−カドミウム（ＮｉＣｄ）、ニッケル−亜鉛（ＮｉＺｎ）、ニッケル水素（ＮｉＭＨ）、リチウムイオン（Ｌｉ−ｉｏｎ）など）、太陽電池、および燃料電池などを含むことができる。
【００２６】
プロセッサ１１８は、ＧＰＳチップセット１３６に結合することもでき、ＧＰＳチップセット１３６は、ＷＴＲＵ１０２の現在位置に関する位置情報（例えば、経度および緯度）を提供するように構成することができる。ＧＰＳチップセット１３６からの情報に加えて、またはその代わりに、ＷＴＲＵ１０２は、基地局（例えば、基地局１１４ａ、１１４ｂ）からエアインターフェース１１６上で位置情報を受け取ることができ、および／または２つ以上の近くの基地局から受信した信号のタイミングに基づいて、自らの位置を決定することができる。ＷＴＲＵ１０２は、一実施形態との整合性を保ちながら、任意の適切な位置決定方法を用いて、位置情報を獲得することができることが理解されよう。
【００２７】
プロセッサ１１８は、他の周辺機器１３８にさらに結合することができ、他の周辺機器１３８は、追加的な特徴、機能、および／または有線もしくは無線接続性を提供する、１または複数のソフトウェアモジュールおよび／またはハードウェアモジュールを含むことができる。例えば、周辺機器１３８は、加速度計、ｅコンパス、衛星送受信機、（写真またはビデオ用の）デジタルカメラ、ユニバーサルシリアルバス（ＵＳＢ）ポート、バイブレーションデバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、およびインターネットブラウザなどを含むことができる。
【００２８】
図１Ｃは、一実施形態による、ＲＡＮ１０４およびコアネットワーク１０６のシステム図である。上で言及されたように、ＲＡＮ１０４は、ＵＴＲＡ無線技術を利用して、エアインターフェース１１６上でＷＴＲＵ１０２ａ、１０２ｂ、１０２ｃと通信することができる。ＲＡＮ１０４は、コアネットワーク１０６とも通信することができる。図１Ｃに示されるように、ＲＡＮ１０４は、ノードＢ１４０ａ、１４０ｂ、１４０ｃを含むことができ、ノードＢ１４０ａ、１４０ｂ、１４０ｃは各々、エアインターフェース１１６上でＷＴＲＵ１０２ａ、１０２ｂ、１０２ｃと通信するための１または複数の送受信機を含むことができる。ノードＢ１４０ａ、１４０ｂ、１４０ｃは各々、ＲＡＮ１０４内の特定のセル（図示されず）に関連付けることができる。ＲＡＮ１０４は、ＲＮＣ１４２ａ、１４２ｂも含むことができる。ＲＡＮ１０４は、一実施形態との整合性を保ちながら、任意の数のノードＢおよびＲＮＣを含むことができることが理解されよう。
【００２９】
図１Ｃに示されるように、ノードＢ１４０ａ、１４０ｂは、ＲＮＣ１４２ａと通信することができる。加えて、ノードＢ１４０ｃは、ＲＮＣ１４２ｂと通信することができる。ノードＢ１４０ａ、１４０ｂ、１４０ｃは、Ｉｕｂインターフェースを介して、それぞれのＲＮＣ１４２ａ、１４２ｂと通信することができる。ＲＮＣ１４２ａ、１４２ｂは、Ｉｕｒインターフェースを介して、互いに通信することができる。ＲＮＣ１４２ａ、１４２ｂの各々は、それが接続されたそれぞれのノードＢ１４０ａ、１４０ｂ、１４０ｃを制御するように構成することができる。加えて、ＲＮＣ１４２ａ、１４２ｂの各々は、アウタループ電力制御、負荷制御、アドミッションコントロール、パケットスケジューリング、ハンドオーバ制御、マクロダイバーシティ、セキュリティ機能、およびデータ暗号化など、他の機能を実施またはサポートするように構成することができる。
【００３０】
図１Ｃに示されるコアネットワーク１０６は、メディアゲートウェイ（ＭＧＷ）１４４、モバイル交換センタ（ＭＳＣ）１４６、サービングＧＰＲＳサポートノード（ＳＧＳＮ）１４８、および／またはゲートウェイＧＰＲＳサポートノード（ＧＧＳＮ）１５０を含むことができる。上記の要素の各々は、コアネットワーク１０６の部分として示されているが、これらの要素は、どの１つをとっても、コアネットワークオペレータとは異なる主体によって所有および／または運営することができることが理解されよう。
【００３１】
ＲＡＮ１０４内のＲＮＣ１４２ａは、ＩｕＣＳインターフェースを介して、コアネットワーク１０６内のＭＳＣ１４６に接続することができる。ＭＳＣ１４６は、ＭＧＷ１４４に接続することができる。ＭＳＣ１４６とＭＧＷ１４４は、ＰＳＴＮ１０８などの回路交換ネットワークへのアクセスをＷＴＲＵ１０２ａ、１０２ｂ、１０２ｃに提供して、ＷＴＲＵ１０２ａ、１０２ｂ、１０２ｃと従来の陸線通信デバイスの間の通信を円滑化することができる。
【００３２】
ＲＡＮ１０４内のＲＮＣ１４２ａは、ＩｕＰＳインターフェースを介して、コアネットワーク１０６内のＳＧＳＮ１４８にも接続することができる。ＳＧＳＮ１４８は、ＧＧＳＮ１５０に接続することができる。ＳＧＳＮ１４８とＧＧＳＮ１５０は、インターネット１１０などのパケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスの間の通信を円滑化することができる。
【００３３】
上で言及されたように、コアネットワーク１０６は、ネットワーク１１２にも接続することができ、ネットワーク１１２は、他のサービスプロバイダによって所有および／または運営される他の有線または無線ネットワークを含むことができる。
【００３４】
拡張個別チャネル（Ｅ−ＤＣＨ）通信の場合、ＷＴＲＵ１０２は、ノードＢ１４０a〜１４０cのいずれか１つなどのサービングノードＢによるグラントを受信することができる。グラントは、通信システム１００において一定の電力レベルで送信を行い、干渉を生じさせるための権利または許可とすることができる。ノードＢは、ＷＴＲＵバッファおよび送信電力についての瞬時の正確な情報を有することができないので、ＷＴＲＵ１０２は、送信電力がサービンググラントとＷＴＲＵ１０２の電力能力（すなわち、電力ヘッドルーム）とによって許可されたものを下回ることができるという制約を受けて、送信時間間隔（ＴＴＩ）毎に送信パラメータ（例えば、電力、トランスポートフォーマット、トランスポートブロックサイズ（ＴＢＳ））を決定することができる。
【００３５】
ＵＬ  ＭＩＭＯ動作の場合、ＷＴＲＵ１０２は、セカンダリストリームのための送信パラメータを決定することができる。送信時間間隔（ＴＴＩ）毎に、ＷＴＲＵ１０２は、ランク２送信がサポートされるかどうか、データチャネルの送信電力、または各ストリームにおけるＴＢＳを決定することができる。ＷＴＲＵ１０２は、そのヘッドルーム、サービンググラント、セカンダリストリームオフセット、バッファなどに基づいて、送信パラメータを決定することができる。チャネル行列またはＭＩＭＯ行列Ｈのランクは、線形独立の行または列の数を定めることができる。ランクは、ＷＴＲＵ１０２などのデバイスによって同時に送信することができる独立のデータストリームまたはレイヤの数も示すことができる。ＷＴＲＵ１０２によるストリームの送信は、２以上の送信／受信要素１２２（例えば、複数のアンテナ）上で提供することができる。
【００３６】
Ｅ−ＤＣＨを用いるＵＬ  ＭＩＭＯ動作のためのＥ−ＤＣＨトランスポートフォーマットコンビネーション（Ｅ−ＴＦＣ）選択および送信パラメータ選択についての例が説明される。例は特定の状況において説明されるが、本明細書で開示される例は、任意の順序もしくは組み合わせで使用することができること、または部分的に使用することができることを理解されたい。例は任意の無線通信システムに適用可能であることに留意されたい。さらに、以下に示される例は、Ｅ−ＤＣＨ送信との関連で提供されるが、トランスポートフォーマットは、他の任意のチャネルまたはチャネルのタイプにも等しく適用することができる。
【００３７】
今から与えられる例によれば、図３Ａは、サービングノードＢなどのノードＢ１４０a〜１４０cのいずれか１つと連携してＷＴＲＵ１０２が実行することができる、Ｅ−ＤＣＨトランスポートフォーマットコンビネーション（Ｅ−ＴＦＣ）選択および送信電力決定のためのプロセス３００を示している。ＷＴＲＵ１０２は、ＵＬ  ＭＩＭＯ動作をサポートすることができ、ＵＬ  ＭＩＭＯ動作のために構成して、ＵＬ  ＭＩＭＯを使用可能にすることができ、および／またはＵＬ  ＭＩＭＯをすでにアクティブ化しておくことができる。以下の説明および例では、Ｅ−ＴＦＣという用語とＥ−ＴＦＣインデックス（Ｅ−ＴＦＣＩ）という用語は等価であると見なすことができ、交換可能に使用することができる。
【００３８】
ＷＴＲＵ１０２は、ノードＢ１４０a〜１４０cのいずれか１つへの新しい送信の数を決定することができる（３０２）。ＷＴＲＵ１０２による決定は、ＴＴＩ毎に、ＴＴＩを選んで、または他の任意の期間毎に実行することができる。以下に示される例では、１または２の新しい送信が例として使用される。しかしながら、ＷＴＲＵ１０２は、３以上のＭＩＭＯストリームのために構成することができ、以下に示される例は、３以上のＭＩＭＯストリームにも等しく適用することができる。例えば、プライマリストリームに組み合わせて、２つの追加のストリーム（すなわち、ランク３）を使用することができる。
【００３９】
ＷＴＲＵ１０２は、ノードＢ１４０a〜１４０cのいずれか１つへの２つの新しい送信を望む場合、送信をランク２送信として構成することを試みることができる（３０４）。新しい送信は、ＷＴＲＵ１０２がプライマリストリーム上で送信する新しいトランスポートブロックを有することを意味することができる。第２のトランスポートブロックの第２の新しい送信のために、ＷＴＲＵ１０２は、第２のトランスポートブロックをセカンダリストリーム上で送信することを試みることができる。
【００４０】
その後、Ｅ−ＤＣＨ上でランク２送信が可能であることを仮定した場合の、プライマリストリームの正規化残余電力マージン（ＮＲＰＭ：ｎｏｒｍａｌｉｚｅｄ  ｒｅｍａｉｎｉｎｇ  ｐｏｗｅｒ  ｍａｒｇｉｎ）を、ＷＴＲＵ１０２によって計算することができる（３０６）。その後、ＷＴＲＵ１０２は、プライマリストリームのＥ−ＴＦＣ選択手順を実行することができる（３０８）。プライマリストリームのＥ−ＴＦＣ選択手順は、Ｅ−ＤＣＨ上でランク２送信が可能であることを仮定して、実行することができる。Ｅ−ＴＦＣ選択手順において、ＷＴＲＵ１０２は、プライマリストリームのトランスポートブロックサイズ（ＴＢＳ１）およびプライマリストリームの利得係数βedを少なくとも計算する。
【００４１】
ＴＢＳ１が閾値以上である場合（３１０）、ＷＴＲＵ１０２による２つの新しい送信のためのランク２送信を許可することができる。その後、ＷＴＲＵ１０２は、プライマリストリームの利得係数βedおよびオフセットパラメータを使用して、セカンダリストリームの仮想サービンググラントを計算することができる（３１２）。仮想サービンググラント（ＳＧ）は、それが望ましければ、以下で説明される式６、１０、または１６で与えられるように計算することができる。オフセットパラメータは、本明細書でさらに説明されるように、電力オフセット、基準電力オフセット、またはペナルティオフセットとすることができる。
【００４２】
ＷＴＲＵ１０２は、セカンダリストリームのために計算された仮想ＳＧに基づいて、またはそれを使用して、セカンダリストリームのための１組のサポートされるＥ−ＴＦＣも計算することができる（３１４）。その後、ＷＴＲＵ１０２は、セカンダリストリームの仮想ＳＧに基づいて、またはそれを使用して、セカンダリストリームのＥ−ＴＦＣ選択を実行または遂行することができる（３１６）。第２のＴＢＳ（ＴＢＳ２）が閾値以上である場合（３１８）、ＷＴＲＵ１０２は、続いて、ランク２  ＭＩＭＯを使用して、またはランク２  ＭＩＭＯとして、Ｅ−ＤＣＨ上で送信を行うことができる（３２２）。ＴＢＳ２が閾値未満である場合、ＷＴＲＵ１０２は、ランク１  Ｅ−ＴＦＣ選択手順を実行または遂行することができ（３２０）、その後、ランク１  ＭＩＭＯを使用して、またはランク１  ＭＩＭＯとして、Ｅ−ＤＣＨ上で送信を行うことができる（３２４）。
【００４３】
ＴＢＳ１が閾値未満である場合（３１０）、ＷＴＲＵ１０２は、ランク１  Ｅ−ＴＦＣ選択手順を実行または遂行することができる（３２０）。その後、ＷＴＲＵ１０２は、ランク１  ＭＩＭＯを使用して、またはランク１  ＭＩＭＯとして、Ｅ−ＤＣＨ上で送信を行うことができる（３２４）。
【００４４】
ＷＴＲＵ１０２がノードＢ１４０a〜１４０cのいずれか１つへの新しい送信の数を決定するステップ（３０２）を再び参照すると、新しい送信が１つ必要とされる場合、ＷＴＲＵ１０２は、データの再送がセカンダリストリーム上で必要とされるのか、それともプライマリストリーム上で必要とされるのかを決定することができる（３２６）。それがセカンダリストリームである場合、ＷＴＲＵ１０２は、Ｅ−ＤＣＨ上でランク２送信が可能であることを仮定して、プライマリストリームのＮＲＰＭを計算することによって、ランク２  ＭＩＭＯ送信を試みることができる（３４８）。
【００４５】
その後、ＷＴＲＵ１０２は、プライマリストリームのＥ−ＴＦＣ選択手順を実行することができる（３５０）。プライマリストリームのＥ−ＴＦＣ選択手順は、Ｅ−ＤＣＨ上でランク２送信が可能であることを仮定して、実行することができる。ＴＢＳ１が閾値以上である場合（３５２）、ＷＴＲＵ１０２は、続いて、ランク２  ＭＩＭＯを使用して、またはランク２  ＭＩＭＯとして、Ｅ−ＤＣＨ上で送信を行うことができる（３２２）。ＴＢＳ１が閾値未満である場合（３５２）、その後、ＷＴＲＵ１０２は、ランク１  ＭＩＭＯを使用して、またはランク１  ＭＩＭＯとして、Ｅ−ＤＣＨ上で送信を行うことができる（３２４）。
【００４６】
再送がプライマリストリームについて必要とされる場合、Ｅ−ＤＣＨ上でランク２送信が可能であることを仮定した場合の、プライマリストリームのＮＲＰＭを、ＷＴＲＵ１０２によって計算することができる（３２８）。その後、ＷＴＲＵ１０２は、プライマリストリーム上でサポートされるＥ−ＴＦＣＩまたはＥ−ＴＦＣが、トランスポートブロックサイズＴＢＳ１以上であるかどうかを決定することができる（３３０）。そうである場合、ＷＴＲＵ１０２は、プライマリストリームのＳＧによるビットの最大数またはＴＢＳ１が閾値以上であるかどうかをチェックする（３３２）。ＷＴＲＵ１０２のためのＳＧによるビットの最大数またはＴＢＳ１が閾値以上である場合、ＷＴＲＵ１０２は、プライマリストリームの利得係数βedおよびオフセットパラメータを使用して、セカンダリストリームの仮想サービンググラントを計算することができる（３１２）。その後、ＷＴＲＵ１０２は、続いて、先に説明したように、ランク２送信を行うか、それともランク１送信を行うか（３２０、３２２、３２４）を決定する（３１４、３１６、３１８）ことができる。
【００４７】
プライマリストリーム上のサポートされるＥ−ＴＦＣＩまたはＥ−ＴＦＣがＴＢＳ１未満である場合（３３０）、ＷＴＲＵ１０２は、ランク１として送信するように構成され、またはランク１として送信することができる（３２４）。プライマリストリームのＳＧによるビットの最大数が閾値未満である場合（３３２）、ＷＴＲＵ１０２は、ランク１として送信するように構成され、またはランク１として送信することができる（３２４）。
【００４８】
先に説明したように、Ｅ−ＴＦＣ選択について、ＷＴＲＵは、ランク２パラメータ選択を試みることができ、その後、ＷＴＲＵ１０２がランク２を用いて送信することができないと決定した場合、ＷＴＲＵ１０２は、ランク１送信にフォールバックし、通常のＥ−ＴＦＣ選択手順を遂行することができる。ＷＴＲＵ１０２は、（任意の順序または組み合わせで）以下の条件のうちの１または複数が違反される場合、ランク２を用いて送信しないように構成することができる。
【００４９】
−ＵＬ  ＭＩＭＯが使用可能でアクティブ化されており、ＷＴＲＵ１０２はＵＬ  ＭＩＭＯ送信のための十分なヘッドルーム（電力）を有し、
−プライマリストリーム上で選択されたＴＢＳが最小値を上回り、または
−セカンダリストリーム上で選択されたＴＢＳが最小値を上回る。
【００５０】
ＷＴＲＵ１０２は、ランク２送信を仮定して、１組のサポートされるＥ−ＴＦＣを計算することができる。ＷＴＲＵ１０２は、プライマリストリーム、セカンダリストリーム、または両方についてのランク２送信を仮定して、１組のサポートされるＥ−ＴＦＣを決定するように構成することができる。ランク２送信を仮定する場合、ＷＴＲＵ１０２は、ランク２固有の１組の基準電力オフセット、およびＥ−ＤＣＨトランスポートフォーマットコンビネーションインデックス（Ｅ−ＴＦＣＩ）を使用するように構成することができ、またはＷＴＲＵ１０２は、既存の１組の基準電力オフセットにペナルティオフセットを適用するように構成することができる。
【００５１】
加えて、ＷＴＲＵ１０２は、候補Ｅ−ＴＦＣＩjのための以下の公式を使用することによって、デュアルストリーム送信の正規化残余電力マージン（ＮＲＰＭ）を決定することができ、
ＮＲＰＭj＝（ＰＭａｘj−ＰDPCCH,target−ＰHS-DPCCH−ＰE-DPCCH,j−ＰS-E-DPCCH,j−ＰS-DPCCH,j）／ＰDPCCH,target    式（１）
ここで、ＰS-E-DPCCH,jは、Ｅ−ＴＦＣＩjに依存しないことがある、セカンダリＥ−ＤＣＨ個別物理制御チャネル（Ｅ−ＤＰＣＣＨ）の電力であり、ＰS-DPCCH,jは、セカンダリストリームＥ−ＴＦＣＩまたはプライマリストリームＥ−ＴＦＣＩ電力に依存することができる、セカンダリ個別物理制御チャネル（Ｓ−ＤＰＣＣＨ）の電力である。ＷＴＲＵ１０２は、送信ランクに応じて、異なるＰＭａｘjを使用するように構成することができる。ランク１またはランク２送信に対して、異なるＮＲＰＭ値を構成することができる。
【００５２】
Ｅ−ＤＣＨ個別物理データチャネル（Ｅ−ＤＰＤＣＨ）とセカンダリＥ−ＤＰＤＣＨ（Ｓ−Ｅ−ＤＰＤＣＨ）の電力は、等しくすることができ、ランク２送信のためにサポートされる１組のＥ−ＴＦＣは、それらの相対電力が、例えば、式（１）で計算されるような、ランク２  ＮＲＰＭの少なくとも２倍であるようにすることができる。プライマリストリームについては、ランク２送信のための１組のサポートされるＥ−ＴＦＣＩは、ＮＲＰＭi≧２Σ（βed,j／βc）2である場合に、ランク２送信を用いてプライマリストリーム上でＥ−ＴＦＣjをサポートすることができるように、（非圧縮フレームの場合）決定することができる。それ以外の場合、ランク２送信を用いてプライマリストリーム上でそれをサポートすることはできない。Ｅ−ＤＰＤＣＨの利得係数βed,jは、異なる１組の基準Ｅ−ＴＦＣＩおよび電力オフセットを使用して、または構成されるランク２オフセットを使用して、計算することができる。
【００５３】
セカンダリストリームのためにサポートされるＥ−ＴＦＣＩは、電力ヘッドルームに依存することができ、またサービングノードＢなどのノードＢ１４０a〜１４０cのいずれか１つによって伝達されるようなセカンダリストリームオフセットに依存することができる。セカンダリストリームは独立して電力制御を行うことができないので、このセカンダリストリームオフセットは、セカンダリストリーム上のＷＴＲＵ１０２のデータレートを制御する。そのため、セカンダリストリームの候補Ｅ−ＴＦＣＩの利得係数は、セカンダリストリームオフセットを考慮することによって計算することができる。例えば、これは、以下で与えられるような外挿（または内挿）公式にオフセットを適用することによって、達成することができる。
【００５４】
第ｉのＥ−ＴＦＣについて、セカンダリストリームのための一時変数β’ed,i,harqは、以下のように計算することができ、
【００５５】
【数１】
2015525537.tif 000003
【００５６】
ここで、Δｏｆｆｓｅｔは、ノードＢ１４０a〜１４０cのいずれか１つによって伝達されるセカンダリストリームオフセットである。オフセットを送信するノードＢは、ＷＴＲＵ１０２に対するＥ−ＤＣＨサービングセルノードＢとすることができる。内挿公式を使用する場合も、類似のオフセット手順を適用することができる。
【００５７】
ＷＴＲＵ１０２は、与えられたＥ−ＴＦＣＩがセカンダリストリーム上でサポートされるかどうかを、ＮＲＰＭを決定し、次に、ＮＲＰＭi≧２Σ（β’ed,j／βc）2である場合は、セカンダリストリーム上でＥ−ＴＦＣjをサポートすることができ、それ以外の場合は、セカンダリストリーム上でそれをサポートすることができないとすることによって、（非圧縮モードギャップの場合）決定することができる。ＷＴＲＵ１０２は、ＮＲＰＭのストリーム固有の値を決定するように構成することもできる。例えば、ＷＴＲＵ１０２は、プライマリストリームのためのＮＲＰＭ（ＮＲＰＭp,j）と、セカンダリストリームのための別のＮＲＰＭ（ＮＲＰＭs,j）とを計算するように構成することができる。そのような場合、プライマリおよび／またはセカンダリストリームのＮＲＰＭ値は、Ｅ−ＴＦＣjに依存することができない。例えば、プライマリおよびセカンダリストリームのＮＲＰＭは、以下のように計算することができる。
【００５８】
【数２】
2015525537.tif 000004
【００５９】
ＷＴＲＵ１０２は、プライマリストリーム上の与えられたＥ−ＴＦＣがサポートされるかどうかを、以下のようにして決定することができ、すなわち、ＮＲＰＭp,i≧Σ（βed,j／βc）2である場合は、プライマリストリーム上でＥ−ＴＦＣjをサポートすることができる。同様に、セカンダリストリームについても、ＮＲＰＭs,i≧Σ（β’ed,j／βc）2である場合は、セカンダリストリーム上でＥ−ＴＦＣjをサポートすることができる。
【００６０】
ＷＴＲＵは、ストリーム毎に独立してＴＢＳを決定することができる。ＷＴＲＵ１０２は、一度に１つのストリームのデータを（例えば、プライマリストリームを最初に）、着脱不能メモリ１３０内のバッファから取得するように構成することができる。ＷＴＲＵ１０２は、ＨＡＲＱプロファイル（すなわち、ＨＡＲＱ電力オフセット）およびＮＲＰＭに基づいて、ストリーム毎に最大のサポートされるペイロードを決定することもできる。ＷＴＲＵ１０２は、ストリーム毎に独立に、例えば、プライマリストリームから開始して、Ｅ−ＴＦＣ選択を実行することができる。
【００６１】
ＷＴＲＵ１０２は、サービンググラント（ＳＧ）の最新値を使用して、ストリーム毎にスケジュールされるビットの最大数を計算することができる。また、ＷＴＲＵ１０２は、ネットワークによって単一のＳＧを用いて構成することができる。ＷＴＲＵ１０２は、送信ランクに関わらず、このＳＧをプライマリストリームに対して使用するように構成することができる。ランク２を用いて送信する場合、ＷＴＲＵ１０２は、（セカンダリストリームオフセットを介した）チャネル状態の相違を考慮した調整を施して、セカンダリストリーム上でも同じＳＧを使用することができる。例えば、ＷＴＲＵ１０２は、Ｅ−ＤＰＤＣＨ電力外挿公式が構成される場合、以下のようにして、ＳＧおよびセカンダリストリーム上のセカンダリ電力オフセットに従って、送信することができるビットの最大数を決定することができる。
【００６２】
【数３】
2015525537.tif 000005
【００６３】
ビットのこの最大数は、Ｋe,ref,nビットよりも低く、ただし、Ｋe,ref,nはいずれかより高い第ｎのランク２基準Ｅ−ＴＦＣ（Ｅ−ＴＦＣref,n）に対応する、ランク２Ｅ−ＴＦＣref,mのＫe,ref,m以上とすることができる（ｍ＝１の場合を除く）。Δｏｆｆｓｅｔは、ネットワークによって伝達することができる。ランク２基準Ｅ−ＴＦＣは、ランク１基準Ｅ−ＴＦＣと同じにすることができる。
【００６４】
ＷＴＲＵは、連続してストリーム毎にＴＢＳを決定することができる（例えば、最初にプライマリストリーム、次にセカンダリストリーム）。ＷＴＲＵ１０２は、プライマリストリームのＥ−ＴＦＣ選択からもたらされた送信パラメータを、セカンダリストリームＥ−ＴＦＣ選択プロセスへの入力として使用することもできる。ＷＴＲＵ１０２は、セカンダリストリームから開始し、次にセカンダリストリームからの送信パラメータを使用して、プライマリストリーム送信パラメータを決定することもできる。簡略化のため、最初にプライマリストリームを考察することができるケースが、以下の実施形態では説明される。しかしながら、以下で説明される実施形態は、最初にセカンダリストリームが考察されるケースにも同じく適用することができることに留意されたい。
【００６５】
ＷＴＲＵ１０２は、プライマリストリームＥ−ＴＦＣ選択の結果がランク２送信を許可していると決定した後、セカンダリストリームのためのＥ−ＴＦＣ選択手順を実行することができる。例えば、ＷＴＲＵ１０２は、プライマリストリームＥ−ＴＦＣＩが閾値以上である場合、またはプライマリストリームトランスポートフォーマット（ＴＦ）が２＊ＳＦ2＋２＊ＳＦ4（すなわち、拡散係数が２の２つのチャネライゼーションコードと拡散係数が４の２つのチャネライゼーションコード）である場合、または例えば、プライマリストリームＴＢＳが閾値変数を上回る場合、ランク２送信が許可されていると決定することができる。
【００６６】
ＷＴＲＵ１０２は、プライマリストリームのＥ−ＴＦＣＩを選択する前に、ランク２送信が許可されていないかどうかを決定することができる。これは、例えば、プライマリストリーム上のサービンググラントによって許可されるような、送信することができるビットの最大数を決定することによって、実行することができ、送信することができるビットの最大数は、デュアルストリーム送信（例えば、ランク２）が行われることを仮定して、計算することができる。別の例では、ＷＴＲＵ１０２は、現在のサービンググラントを用いて送信することを許可されたビットの最大数に、データを含み、現在のＴＴＩの多重化制約を用いて現在のＴＴＩで送信することを許可された、ＭＡＣ−ｄフローのためのスケジュールされていないグラントの数を加算することができる。これらの値は、許可されたグラントに従って送信することができるビットの最大数と呼ばれる。
【００６７】
別の例では、ＷＴＲＵ１０２は、ランク２送信のために利用可能な電力が原因で、ランク２がサポートされないことに決定することができる。ＷＴＲＵ１０２は、ランク２送信を仮定してＥ−ＴＦＣ制約手順を実行し、プライマリストリーム上のランク２送信のための１組のサポートされるＥ−ＴＦＣＩを決定することができる。ＷＴＲＵ１０２は、その後、以下の条件が満たされる場合に、ランク２送信が許可されることを決定することができる。
【００６８】
（１）許可されたグラントによって送信することができるビットの最大数が、構成された閾値以上であり、または少なくともそのデータ量に適合することができる最も高いトランスポートブロック（ＴＢ）のトランスポートフォーマットが、２＊ＳＦ2＋２＊ＳＦ4に対応する場合。
【００６９】
（２）最大のサポートされるＥ−ＴＦＣＩが、構成された閾値以上であり、または少なくともそのデータ量に適合することができる最も高いＴＢのトランスポートフォーマットが、２＊ＳＦ2＋２＊ＳＦ4に対応する場合。
【００７０】
上記の条件の一方が満たされない場合、ＷＴＲＵ１０２は、ランク２を仮定したプライマリストリーム上のＥ−ＴＦＣＩを最初に決定することなく、シングルストリームＥ−ＴＦＣＩ選択を実行することができる。上記の条件の両方が満たされる場合、ＷＴＲＵ１０２は、ランク２送信を仮定してプライマリストリームのためのＥ−ＴＦＣＩ選択を実行することができ、ＷＴＲＵ１０２がプライマリストリーム上のＥ−ＴＦＣＩを決定した後、上で指定された規則を適用することができる。
【００７１】
ＷＴＲＵ１０２は、プライマリストリーム上の選択されたＥ−ＴＦＣＩがランク２送信を許可することを決定した後、プライマリストリーム送信パラメータを使用して、セカンダリストリームＴＢＳを決定するように構成することができる。例えば、ＷＴＲＵ１０２は、得られるプライマリストリームＥ−ＤＰＤＣＨ電力比の値と、セカンダリストリーム電力オフセットとを使用して、セカンダリストリームが搬送することができるビットの数を決定することができる。例えば、Ｅ−ＤＰＤＣＨ電力比は、Ｓｅｒｖｉｎｇ＿Ｇｒａｎｔの値に取って代わることができる。セカンダリストリームについての一例として、ＷＴＲＵ１０２は、（一例として電力外挿公式を使用して）以下に基づいて、（例えば、スケジュールされた情報、スケジュールされていない情報、およびスケジューリング情報（ＳＩ）を含むすべてのビットのために）最大のサポートされるペイロードを決定することができる。
【００７２】
【数４】
2015525537.tif 000006
【００７３】
ここで、Ｅ−ＤＰＤＣＨの利得係数は、本明細書で与えられる公式を使用して、結果として得られたプライマリストリームＴＢＳから計算することができ、Δｏｆｆｓｅｔは、ネットワークによって伝達することができる。利得係数の計算において、ランク依存のオフセットを使用することができる。
【００７４】
式（５）は、仮想セカンダリストリームグラントを使用して表現することができる。仮想セカンダリストリームサービンググラント（Ｖｉｒｔｕａｌ＿ＳＳ＿ＳＧ）は、以下ように定義することができ、
【００７５】
【数５】
2015525537.tif 000007
【００７６】
ここで、分子は、（ＤＰＣＣＨに関する）プライマリストリーム電力比に対応し、分母は、ノードＢ１４０a〜１４０cのいずれか１つによって伝達されるセカンダリストリームオフセットに起因するペナルティに対応する。セカンダリストリーム上のビットの数は、例えば、以下のような外挿公式で計算することができ、
【００７７】
【数６】
2015525537.tif 000008
【００７８】
また以下のような内挿公式で計算することができる。
【００７９】
【数７】
2015525537.tif 000009
【００８０】
後者では、セカンダリストリームオフセット（Δｏｆｆｓｅｔ）に起因するペナルティパラメータは、デシベル（ｄＢ）で表現されることが仮定されることに留意されたい。等価的に、このパラメータは、線形項（例えば、Ｏｆｆｓｅｔ）で指定して、等価の公式化をもたらすことができ、
【００８１】
【数８】
2015525537.tif 000010
【００８２】
という関係を用いた場合、
【００８３】
【数９】
2015525537.tif 000011
【００８４】
に等価的に対応する。上で示されたこの線形形式またはデシベル形式は、交換可能に使用することができる。
【００８５】
Ｅ−ＤＣＨで送信されるビットの最大数は、電力ばかりでなく、サービンググラントにも依存することができるので、ＷＴＲＵ１０２は、（電力ヘッドルームに従って）最大のサポートされるペイロード、例えば、サポートされるＥ−ＴＦＣＩを決定することができる。ＷＴＲＵ１０２は、現在のグラント（およびＨＡＲＱオフセット）によってサポートされるビットの数を示す残りのスケジュールされたグラントペイロードと、サービンググラントおよび許可されたＭＡＣ−ｄフローのためのスケジュールされていないグラントによって許可されるビットの総数を示すグラントされたペイロードの合計とを決定することもできる。
【００８６】
セカンダリストリームのためのＥ−ＴＦＣ選択に関して、ＷＴＲＵ１０２は、セカンダリストリーム上のグラントによって送信をサポートされるビットの最大数の値（例えば、残りのスケジュールされたグラントペイロード）を、式（５）で計算される値、またはそれぞれ（７）および（８）の外挿公式および内挿公式のための等価の式で計算される値になるように設定することができる。式（５）または（７）／（８）によって計算される値も、１組のサポートされるＥ−ＴＦＣＩを決定するために、ＷＴＲＵ１０２によって使用することができる。１つの手法では、最大のサポートされるペイロードまたは最大のサポートされるＥ−ＴＦＣＩの値は、仮想サービンググラントに基づいて送信することができるビットの数以下である最大のＥ−ＴＦＣになるように設定することができる。１組のサポートされるＥ−ＴＦＣを決定するための他の例が以下で説明される。
【００８７】
一例では、スケジュールされていない送信がセカンダリストリーム上で許可される場合、セカンダリストリームのグラントされたペイロードの合計は、上で計算された残りのスケジュールされたグラントされたペイロードに、セカンダリストリーム上の許可されたＭＡＣ−ｄフローのための適用可能なスケジュールされていないグラントの総和を加えたものに等しくすることができる。また、セカンダリストリームのグラントされたペイロードの合計は、式（７）および式（８）において式（６）から計算される値になるように設定することができる。スケジューリング情報（ＳＩ）が送信される必要がある場合、ＷＴＲＵ１０２は、上で説明された変数の計算において、ＳＩのサイズを考慮することができる。
【００８８】
ＷＴＲＵ１０２は、セカンダリストリームがサポートされることを知っており、実際の送信電力も知っているので、またＷＴＲＵ１０２は、セカンダリストリームを用いて送信するように構成され、この段階で、ＷＴＲＵ１０２は、電力に従って、セカンダリストリームを送信することができるかどうかをすでに決定しているので、ＷＴＲＵ１０２は、Ｅ−ＴＦＣ制約手順を実行しなくてよい。
【００８９】
別の例では、ＷＴＲＵ１０２は、セカンダリストリームのための１組のサポートおよびブロックされるＥ−ＴＦＣを、以下の手法のうちの１または複数を使用して決定するように構成することができる。１つの手法では、ＷＴＲＵ１０２は、すべてのＥ−ＴＦＣがセカンダリストリームのためにサポートされると決定するように構成することができる。その場合、ＷＴＲＵ１０２は、仮想セカンダリストリームサービンググラントに依存して、セカンダリストリーム上で送信されるビットの数（すなわち、最大のサポートされるペイロード）を制限することができる。別の手法では、ＷＴＲＵ１０２は、例えば、上の式（７）または式（８）に見られるように、仮想セカンダリストリームサービンググラントからもたらされるビットの数よりも少ない（またはそれ以下の）数のビットを搬送するすべてのＥ−ＴＦＣがサポートされると決定するように構成することができる。この手法では、ＷＴＲＵ１０２は、例えば、最初に（６）のＶｉｒｔｕａｌ＿ＳＳ＿ＳＧを計算し、次に式（７）または式（８）と組み合わせてそれを使用することによって、仮想セカンダリストリームサービンググラントに関連付けられたビットの最大数を計算するように構成することができる。その後、ＷＴＲＵ１０２は、対応するビットの数が仮想セカンダリストリームサービンググラントに関連付けられたビットの最大数以下であるすべてのＥ−ＴＦＣが、セカンダリストリームのためにサポートされた状態にあると決定することができる。
【００９０】
ＷＴＲＵ１０２は、セカンダリストリームのための選択されたＴＢＳまたは選択されたＥ−ＴＦＣＩが、構成された閾値を下回ると決定した場合、ランク２は許可されず、ランク１送信にフォールバックすると決定するように構成することができる。
【００９１】
別の手法では、ＷＴＲＵ１０２は、セカンダリストリーム上の１組のサポートされるＥ−ＴＦＣＩを、本明細書の説明に従って計算するように構成することができる。ＷＴＲＵ１０２は、結果として得られたプライマリストリームＴＢＳとは独立に、セカンダリストリームＴＢＳを計算することもできる。そのような場合、例えば、ＷＴＲＵ１０２は、ヘッドルームおよびセカンダリストリームオフセット（ならびに、基準電力オフセット、Ｅ−ＴＦＣＩ、ＨＡＲＱプロファイルなどの他のパラメータ）に基づいて、セカンダリストリームＴＢＳ（またはＥ−ＴＦＣ）を決定することができる。そのような場合、ランク２送信のためのＷＴＲＵ１０２  Ｅ−ＴＦＣ選択は、異なる利得係数を必要とする２つのＥ−ＴＦＣ（ストリーム毎に１つ）をもたらすことができる。ＷＴＲＵ１０２は、ＵＬ  ＭＩＭＯにおいて、Ｅ−ＤＰＤＣＨおよびＳ−Ｅ−ＤＰＤＣＨを同じ電力で送信するように制限することができるので、送信のために使用される最終的な利得係数を決定することができる。
【００９２】
ＷＴＲＵ１０２は、プライマリストリームＥ−ＴＦＣからもたらされる利得係数を使用することができる。それは、開ループ電力制御（ＯＬＰＣ）に影響しないという利点を有する。他方、セカンダリストリームのためのマージンループは影響されることがある。その場合、サービングノードＢは、ＷＴＲＵ１０２によって伝達されたＥ−ＴＦＣＩを観測することによって、これを考慮することができる。ＷＴＲＵ１０２は、セカンダリストリームからもたらされる利得係数も使用することができる。この場合、セカンダリストリームのためのマージンループは、影響を受けずにいられるが、ＯＬＰＣは、負の影響を受けることがある。
【００９３】
ＷＴＲＵ１０２は、両方のストリームのためのＥ−ＴＦＣ選択手順からもたらされる２つの利得係数のうちの大きい方を使用することができる。この手法は、ＷＴＲＵ１０２が、十分な電力を用いて送信することを保証する。これは、ＯＬＰＣおよびマージンループにおいてより大きな分散をもたらすことができる。ランク２送信のためのＥ−ＴＦＣ選択が完了した後、ＷＴＲＵ１０２は、各ストリーム上のＴＢＳに基づいた利得係数と、セカンダリストリームのセカンダリストリームオフセットを決定することができる。その後、ＷＴＲＵ１０２は、Ｅ−ＤＰＤＣＨおよびＳ−Ｅ−ＤＰＤＣＨに適用される最終的な利得係数を、以下のように決定することができ、すなわち、βs,ed,k／βc＞βp,ed,k／βcである場合、βed,k／βc＝βs,ed,k／βcであり、それ以外の場合、βed,k／βc＝βp,ed,k／βcであり、ここで、βs,ed,kは、Ｓ−Ｅ−ＤＰＤＣＨの利得係数であり、βp,ed,kは、プライマリストリームＥ−ＤＰＤＣＨの利得係数であり、βed,kは、Ｓ−Ｅ−ＤＰＤＣＨおよびＥ−ＤＰＤＣＨの両方に適用される利得係数の最終的な値である。
【００９４】
プライマリストリーム送信パラメータ（ＴＦもしくはＴＢＳ）またはセカンダリストリーム送信パラメータが、ランク２送信を許可しない場合、ＷＴＲＵ１０２は、ランク１送信にフォールバックすることができる。２つの新しい送信が要求され、ＷＴＲＵ１０２がプライマリストリームのためのＥ−ＴＦＣ選択を実行し、その後、ランク２送信のための条件が満たされないと決定した場合が、考察される。
【００９５】
ＷＴＲＵ１０２は、通常またはレガシ（ランク１）Ｅ−ＴＦＣ選択手順も使用することができる。この場合、ＷＴＲＵ１０２は、ランク２  Ｅ−ＴＦＣ選択手順を停止し、ＷＴＲＵ１０２の送信パラメータがランク１とランク２とで異なることがあることを考慮して、レガシＥ−ＴＦＣ選択手順（ランク１）を用いるＥ−ＴＦＣ選択を再開することができる。同じ送信電力に対してより僅かな数のビットをもたらすことができる、特別な電力オフセットを、ランク２送信のために構成することができる。加えて、電力が制限される場合、ＷＴＲＵ１０２で利用可能な電力を、２つのストリームの間で分割する代わりに、１つのストリームのために十分に使用することができるように、サポートされる１組のＥ−ＴＦＣＩをランク１送信のために変更することができる。
【００９６】
ＷＴＲＵ１０２は、選択されたプライマリストリームＴＢＳを用いて続行することもできる。これは、ＷＴＲＵ１０２のセカンダリストリームが、ランク２送信パラメータ要件を満たさず、ＷＴＲＵ１０２が、プライマリストリームのＥ−ＴＦＣをすでに選択している場合に適用される。ＷＴＲＵ１０２は、ＷＴＲＵ計算を節約するために、ランク２パラメータはランク１送信パラメータよりも控えめである可能性を考慮して、選択されたプライマリストリームＥ−ＴＦＣを、それがランク２送信を仮定して選択されたものであっても、ランク１送信のために使用することもできる。
【００９７】
ＷＴＲＵ１０２がランク１へのフォールバックを却下するための方法が、本明細書で説明される。例えば、ＷＴＲＵ１０２は、プライマリストリーム上で選択されたＥ−ＴＦＣＩがランク２送信要件を満たさない場合、ならびにＷＴＲＵ１０２のグラントおよびヘッドルームがそれを許可する（１組のサポートされるランク２  Ｅ−ＴＦＣＩが空でない）場合、ランク２を用いて送信することができる。例えば、ＷＴＲＵ１０２は、着脱不能メモリ１３０内のバッファ内に利用可能なデータがまだ存在する（例えば、閾値を上回る）場合、ランク２を用いて送信することができる。そのような場合、ＷＴＲＵ１０２は、セカンダリストリームＥ−ＴＦＣＩ選択を続行することができる。ＷＴＲＵ１０２は、ランク２を使用して送信することができる最低のサポートされるＥ−ＴＦＣＩ、および例えばゼロを用いたパディングを使用することができる。別の例では、ＷＴＲＵ１０２は、制限なしにセカンダリストリーム上のＥ−ＴＦＣＩを決定することができ、その後、レートマッチングを適用して、セカンダリストリーム上の選択されたＥ−ＴＦＣＩが、許可された２＊ＳＦ2＋２＊ＳＦ4トランスポートフォーマットを使用することを保証することができる。ＷＴＲＵ１０２は、その後、ランク２送信を実行することができ、本明細書で説明される手順のいずれかを使用して、２つのストリームの間で電力を均等化することができる。
【００９８】
ＵＬ  ＭＩＭＯ動作では、各ストリームＨＡＲＱプロセスは、独立とすることができ、したがって、ノードＢ１４０a〜１４０cのいずれか１つが、それに独立に肯定応答または否定応答を行うことができる。結果として、任意の与えられたＴＴＩにおいて、ＷＴＲＵ１０２は、プライマリストリーム、セカンダリストリーム、または両方を再送することができる。
【００９９】
ＷＴＲＵ１０２は、ノードＢ１４０a〜１４０cのいずれか１つにプライマリストリームを再送する場合、セカンダリストリームのための新しいＴＢを生成するかどうかを決定することができる。ＷＴＲＵ１０２は、それが十分な電力ヘッドルームおよび送信すべきデータを有する場合、ならびにノードＢ１４０a〜１４０cのいずれか１つがランク２送信を許可する場合、新しいＴＢを生成すると決定することができる。ＷＴＲＵ１０２は、それがランク２を用いて送信するのに十分な電力を有するかどうかを、（例えば、上で説明されたような）ランク２送信を仮定したＥ−ＴＦＣ制約手順を実行し、プライマリストリームＥ−ＴＦＣＩ（再送されるもの）がランク２送信のためにサポートされるかどうかを決定することによって、決定することもできる。サポートされる場合、ＷＴＲＵ１０２は、プライマリストリーム再送におけるランク２送信のための十分な電力ヘッドルームを有する。ＷＴＲＵ１０２は、ランク２送信を仮定し、ＮＲＰＭに従って、プライマリストリームのためのサポートされた状態にある最大のＥ−ＴＦＣ（すなわち、最大のサポートされるＥ−ＴＦＣＩ）を決定するように構成することができる。その後、ＷＴＲＵ１０２は、サポートされた状態にある最大のＥ−ＴＦＣが、プライマリストリームＥ−ＴＦＣ（または等価的に、プライマリストリームの再送ブロックサイズ）よりも小さいかどうかを決定することができる。小さい場合、ＷＴＲＵ１０２は、ランク２送信を試みることができる。それ以外の場合、ＷＴＲＵ１０２は、ランク１送信を使用して、プライマリストリーム再送のみを送信することができる。
【０１００】
ＷＴＲＵ１０２は、ノードＢ１４０a〜１４０cのいずれか１つにプライマリストリームを再送する場合、セカンダリストリームのための新しいＴＢを生成するかどうかを決定することができる。ＷＴＲＵ１０２は、それが十分な電力ヘッドルームおよび送信すべきデータを有する場合、ならびにノードＢ１４０a〜１４０cのいずれか１つがランク２送信を許可する場合、それを行うことができる。ＷＴＲＵ１０２は、それがランク２を用いて送信するのに十分な電力を有するかどうかを、（例えば、上で説明されたような）ランク２送信を仮定したＥ−ＴＦＣ制約手順を実行し、プライマリストリームＥ−ＴＦＣＩ（再送されるもの）がランク２送信のためにサポートされるかどうかを決定することによって、決定することもできる。サポートされる場合、ＷＴＲＵ１０２は、プライマリストリーム再送におけるランク２送信のための十分な電力ヘッドルームを有する。
【０１０１】
より具体的には、（再送が原因で）Ｅ−ＤＰＤＣＨの電力は知られており、Ｓ−Ｅ−ＤＰＤＣＨの電力も（Ｅ−ＤＰＤＣＨ電力に等しいので）知られているので、ＷＴＲＵ１０２は、電力がランク２送信のために不十分である場合、新しいＴＢはセカンダリストリーム上で選択されないと決定することができ、ランク１送信（例えば、プライマリストリーム上での再送）をもたらす。ＷＴＲＵ１０２は、それがランク２送信のために不十分な電力しか有さないと決定した場合、ＮＲＰＭ値をゼロになるように設定することができる。ＷＴＲＵ１０２は、それが十分な電力を有すると決定した場合、ＮＲＰＭまたは仮想サービンググラントを、プライマリストリームＥ−ＤＰＤＣＨ電力比に等しくなるように設定（し、オフセットを考慮）することができる。
【０１０２】
より具体的には、ＷＴＲＵ１０２は、セカンダリストリームのために、以下のＮＲＰＭを決定することができる。
【０１０３】
ＮＲＰＭs,tmp＝（ＰＭａｘ−ＰDPCCH,target−ＰHS-DPCCH−ＰE-DPCCH−ＰS-E-DPCCH−ＰS-DPCCH−ＰE-DPDCH））／ＰDPCCH,target    式（１１）
ＮＲＰＭs,tmp＜ＰE-DPDCH／ＰDPCCHである場合、ＷＴＲＵ１０２は、ランク１を用いて送信し、セカンダリストリームのための新しいＴＢを選択しない。ＮＲＰＭは、ゼロになるように設定される（ＮＲＰＭ＝０）。そうではなく、ＮＲＰＭs,tmp≧ＰE-DPDCH／ＰDPCCHである場合、ＷＴＲＵ１０２は、ランク２を用いて送信することができる。ＮＲＰＭは、ＮＲＰＭ＝ＰE-DPDCH／ＰDPCCHになるように設定される。ＰＭａｘは、潜在的にＮＲＰＭを考慮した、ランク２送信のための最大利用可能電力であると仮定され、ＰE-DPCCH、ＰS-E-DPCCH、ＰS-DPCCH、およびＰE-DPDCHは、プライマリストリームＥ−ＴＦＣＩに基づいて計算されることに留意されたい。
【０１０４】
別の手法では、ＷＴＲＵ１０２は、（１）に従ってＮＲＰＭを決定し、その後、電力ＰE-DPDCH（再送されるプライマリストリームの電力（Ｅ−ＤＰＤＣＨ電力））で再送されるプライマリストリームＥ−ＴＦＣＩjについて、ＮＲＰＭj／２≧ＰE-DPDCHである場合、ランク２送信のための十分な電力を有すると決定することができる。それ以外の場合、ＷＴＲＵ１０２は、ランク２送信のための十分な電力を有さないと決定することができる。
【０１０５】
ＷＴＲＵ１０２は、上で説明された実施形態のいずれかに従って、第２のストリームのためのＥ−ＴＦＣ選択を実行することができ、仮想サービンググラントは、結果として得られたプライマリストリームＥ−ＤＰＤＣＨ電力比およびオフセットに従って設定することができる。１組のサポートされるＥ−ＴＦＣを決定するために使用されるＮＲＰＭは、上述の段落に従って決定することができ、または代替として、第２のストリームのための１組のサポートされるＥ−ＴＦＣは、本明細書で説明される実施形態に従って決定することができる。
【０１０６】
電力ヘッドルームおよびデータバッファの確認に加えて、ＷＴＲＵ１０２は、サービンググラントの最新値がランク２送信をサポートするかどうかを決定するように構成することもできる。これは、ノードＢおよび／または非サービングノードＢが、ＷＴＲＵ１０２の再送とは独立に、グラントコマンドを発行するという事実によることができる。結果として、ＷＴＲＵ１０２は、元の送信の時点と再送の時点の間、そのサービンググラントを低下させることができた。
【０１０７】
プライマリストリームの再送は、元の送信と同じ利得係数を使用するので、この場合、ＷＴＲＵ１０２は、ランク２送信のための電力を知っている。したがって、ＷＴＲＵ１０２は、サービンググラントの最新値がランク２送信を可能にするかどうかを決定するように構成することができる。これは、例えば、（再送Ｅ＿ＤＰＤＣＨのための）プライマリストリーム電力オフセットを、現在のサービンググラントと比較することによって、実施することができる。より具体的には、以下が満たされる場合、
【０１０８】
【数１０】
2015525537.tif 000012
【０１０９】
ＳＧに従ったランク２送信をＷＴＲＵ１０２に許可することができる。
【０１１０】
ＷＴＲＵ１０２は、現在のＳＧがランク２送信を可能にするほど十分に大きいかどうかを決定するように構成することができる。より具体的には、ＷＴＲＵ１０２は、現在のＳＧを、ランク２送信のための最小ＴＢに関連付けられた閾値と比較するように構成することができる。ＳＧがランク２のための最小ＳＧの閾値を上回る場合、ＷＴＲＵ１０２は、ランク２送信を検討するように構成することができ、それ以外の場合、ＷＴＲＵ１０２は、ランク２送信を許可せず、プライマリストリームにおいてランク１再送を実行するように構成することができる。
【０１１１】
ＷＴＲＵ１０２は、ＳＧによって許可されるビットの最大数を計算し、その後、それをランク２送信のために構成された最小ＴＢと比較することもできる。より具体的には、ＷＴＲＵ１０２は、Ｖｉｒｔｕａｌ＿ＳＳ＿ＳＧをＳＧで置き換えた構成に依存する、式（７）または式（８）を使用して、ＳＧによって許可されるビットの最大数を決定するように構成することができる。ＳＧによって許可されるビットの数を計算する際、ＷＴＲＵ１０２は、再送のために使用されるＨＡＲＱプロファイルと同じ、ビットの数を計算するために使用されるＨＡＲＱプロファイルから、ＨＡＲＱオフセット（すなわち、（７）および（８）のΔｈａｒｑ）を決定することができ、またはＷＴＲＵ１０２は、そのＴＴＩにおいて送信することができるプライオリティが最も高いデータのＨＡＲＱプロファイルから、ＨＡＲＱオフセットを使用することができる。ＷＴＲＵ１０２は、ＳＧがランク２送信のための最小ＴＢと少なくとも同数のビットを許可すると決定した場合、ランク２送信を許可することができる。それ以外の場合、ＷＴＲＵ１０２は、ランク１を用いて送信するように構成することができる。この手法は、ＷＴＲＵ１０２が２つの新しい送信を有する場合にも、またＷＴＲＵ１０２がセカンダリストリーム上にただ１つの再送を有する場合にも実行することができることに留意されたい。さらに、ＷＴＲＵ１０２は、Ｅ−ＴＦＣ制約／Ｅ−ＴＦＣ選択を実行する前に、これを決定して、不必要な計算を行うことを回避し、それによって、バッテリ消耗を回避することができる。
【０１１２】
同様に、２つの送信の場合に説明されたように、ＷＴＲＵ１０２は、与えられたＴＴＩの間にセカンダリストリームに一緒に多重化することができるビットの数が、ランク２送信のための最小ＴＢサイズの閾値を上回るかどうかを、あらかじめ検査することによって、第２のストリームのＥ−ＴＦＣ選択を回避することもできる。ビットの数がより低い場合、ＷＴＲＵ１０２は、ランク２がサポートされないと決定する。ＷＴＲＵ１０２は、この情報を使用して、ランク２送信のためのＥ−ＴＦＣ選択／制約を実行すべきでないと決定することができる。それ以外の場合、ＷＴＲＵ１０２は、ランク２  Ｅ−ＴＦＣ選択を実行することができ、ならびに／またはグラントおよび／もしくは電力限界基準が満たされるかどうかを決定することができる。これは、セカンダリストリームが再送され、ＷＴＲＵ１０２のプライマリストリームのＨＡＲＱエンティティが新しい送信を起動した場合にも実行することができることが理解されよう。
【０１１３】
電力限界、グラント限界、またはバッファ限界についての上で説明された基準は、任意の順序および任意の組み合わせで行うことができることが理解されよう。３つの基準のいずれかが満たされない場合、ＷＴＲＵ１０２は、ランク１送信にフォールバックすることができる。
【０１１４】
別の例では、ＷＴＲＵ１０２は、プライマリストリームのためのＥ−ＴＦＣ選択を実行し、新しい送信が行われるかのように理論的なＥ−ＴＦＣを決定することができる。上で説明されたように、ＮＲＰＭ（例えば、利用可能な電力）、ＳＧに基づいたビットの数、およびバッファが、考慮される。結果として得られた理論的なＥ−ＴＦＣが、ランク２送信のための最小ＴＢよりも小さい場合、ＷＴＲＵ１０２は、ランク１送信にフォールバックすることができる。
【０１１５】
ＷＴＲＵ１０２は、電力ヘッドルーム、ＳＧ、またはバッファに照らして、ランク２を用いて送信することが許可されない場合、セカンダリストリームのためのＴＢを生成しないように構成することができ、ランク１を用いて再送することができる。
【０１１６】
ＷＴＲＵ１０２は、ランク２送信が許可されたと決定した場合、例えば、本明細書で説明されるような、セカンダリストリームについての２つの新しい再送の場合におけるように、Ｅ−ＴＦＣ選択を実行することができる。第２のストリームの最終的なＥ−ＴＦＣＩが、ランク２送信のための最小ＴＢサイズよりも小さい値をもたらす場合、ＷＴＲＵ１０２は、ランク１送信を実行し、プライマリストリームにおいてデータを再送することができるだけである。
【０１１７】
セカンダリストリーム再送も、ＷＴＲＵ１０２によって実行することができる。この場合、ＷＴＲＵ１０２は、プライマリストリームではなく、セカンダリストリームを再送する。ＷＴＲＵ１０２は、ランク２送信を許可され、送信するのに十分な電力を有し、バッファ内にデータを有する場合、プライマリストリーム上に新しい送信を生成するように構成することができる。それ以外の場合、ＷＴＲＵ１０２は、（例えば、セカンダリストリームをプライマリストリームプリコーディングベクトルに切り換えて）ランク１を用いて送信するように構成することができる。
【０１１８】
ＷＴＲＵ１０２が、先行するＴＢＳと大きく異なるプライマリストリーム上のＴＢを選択した場合、これは、プライマリストリームとセカンダリストリームの間に電力不平衡をもたらすことがある。Ｅ−ＤＰＤＣＨとＳ−Ｅ−ＤＰＤＣＨの電力は等しくできるので、ＷＴＲＵ１０２は、データレート、効率、および信頼性とのトレードオフを行うことができる。
【０１１９】
表１は、プライマリストリームのためのＥ−ＴＦＣ選択からもたらされる、電力についての異なるケースを要約したものである。第１のケースでは、プライマリストリームは、強制的にセカンダリストリーム電力に等しくすることができる。これは、望ましくないデータレート限界をプライマリストリームに課し、場合によっては、ＷＴＲＵ１０２は、バッファ制約を受けることがあり、そのレートをサポートできないことがある。結果として得られたプライマリストリーム電力がセカンダリストリーム電力よりも小さい場合、表１に示されるように、ＷＴＲＵ１０２は、セカンダリストリーム電力をスケールダウンすることができるが、これは信頼性の低下を招き、またはプライマリストリームをスケールアップすることができるが、これは電力効率の無駄をもたらす。結果として得られたプライマリストリーム電力がセカンダリストリーム電力よりも大きい場合、ＷＴＲＵ１０２は、セカンダリストリーム電力をスケールアップするように構成することができるが、より悪化したセカンダリストリームの非効率をもたらす。
【０１２０】
【表１】
2015525537.tif 000013
【０１２１】
ＷＴＲＵ１０２がセカンダリストリーム上で再送する場合、ＷＴＲＵ１０２は、そうするのに十分な電力を有する場合、プライマリストリーム上で新しいＴＢを送信するように構成することができる。したがって、ＷＴＲＵ１０２は、ランク２送信のための十分な電力を有するかどうかを決定するように構成することができ、プライマリストリームのためのＮＲＰＭを決定することができる。
【０１２２】
ＷＴＲＵ１０２がランク２を用いて送信するのに十分な電力を有するかどうかを決定するための第１の手法では、ＷＴＲＵ１０２は、再送セカンダリストリームのための最小電力（または等価的にＰS-E-DPDCH,min）を決定するように構成することができる。ＷＴＲＵ１０２は、以下のうちの１または複数を使用して、再送セカンダリストリームのための最小電力を決定することができる。
【０１２３】
１）ＰS-E-DPDCH,minは、同じＨＡＲＱプロセスの最後の送信において使用される、Ｓ−Ｅ−ＤＰＤＣＨの電力である、
２）ＰS-E-DPDCH,minは、そのトランスポートブロックの元の送信において使用される、Ｓ−Ｅ−ＤＰＤＣＨの電力である、または
３）ＰS-E-DPDCH,minは、ＴＢＳ値、セカンダリストリームオフセットの最新値、およびＨＡＲＱオフセットを使用する、内挿もしくは外挿公式を使用して計算される。一例では、ＷＴＲＵ１０２は、式（２）（または内挿公式の等価の形式）を使用して、利得係数を計算し、ＤＰＣＣＨ電力の最新の推定を使用して、送信電力をさらに決定することができる。
【０１２４】
その後、ＷＴＲＵ１０２は、プライマリストリームのＮＲＰＭを決定し、それを、セカンダリストリーム再送を行うデュアルストリーム送信のための最小電力比と比較することによって、ランク２送信のための十分な電力を有するかどうかを決定することができる。例えば、ＷＴＲＵ１０２は、式（１）に従って、ＮＲＰＭを決定することができる。
【０１２５】
その後、ＷＴＲＵ１０２は、結果として得られたＮＲＰＭを最小電力比と比較することによって、デュアルストリームを用いて送信するのに十分な電力を有するかどうかを決定することができる。より具体的には、ＷＴＲＵ１０２は、ＮＲＰＭj／２＜ＰS-E-DPDCH,min／ＰDPCCHである場合、ＷＴＲＵ１０２が、デュアルストリームを用いて送信するのに十分な電力を有さず、結果として得られたプライマリストリームのＮＲＰＭは、ＮＲＰＭｐ＝０と設定することができると決定することができる。そうではなく、ＮＲＰＭj／２≧ＰS-E-DPDCH,min／ＰDPCCHである場合、ＷＴＲＵ１０２は、ランク２送信を用いて送信するのに十分な電力を有すると決定し、Ｅ−ＴＦＣ制約の目的で、計算されたＮＲＰＭを使用することができる。
【０１２６】
ＷＴＲＵ１０２は、セカンダリストリーム再送について考慮せずに、ランク２送信を仮定して、プライマリストリーム上でＥ−ＴＦＣ選択を実行するように構成することができる。プライマリストリームＥ−ＴＦＣＩおよび関連する利得係数（したがって、電力）が決定されると、ＷＴＲＵ１０２は、ランク２送信を行うことができるかどうかを決定する。例えば、ＷＴＲＵ１０２は、結果として得られたプライマリストリームＥ−ＴＦＣＩを閾値（例えば、最小ＴＢまたはセカンダリストリームＥ−ＴＦＣＩに対応する最小Ｅ−ＴＦＣＩ）と比較することができ、または関連するトランスポートフォーマットを決定し、それが２＊ＳＦ2＋２＊ＳＦ4であるかどうかを決定することができる。結果として得られたプライマリストリームＥ−ＴＦＣＩが閾値を下回る場合、またはトランスポートフォーマットが２＊ＳＦ2＋２＊ＳＦ4ではない場合、ＷＴＲＵ１０２は、プライマリストリーム上でランク１を用いて再送することができる。
【０１２７】
ＷＴＲＵ１０２は、送信はランク２であるべきであると決定した場合、セカンダリストリーム送信電力をさらに決定することができる。ＷＴＲＵ１０２は、セカンダリストリームの電力を、新しく選択されたプライマリストリームの電力になるように設定することができる。ＷＴＲＵ１０２は、新しく計算されたプライマリストリーム電力がセカンダリストリームのために十分かどうかを最初に決定することもでき、十分でない場合、ＷＴＲＵ１０２は、プライマリストリームおよびセカンダリストリームの電力をセカンダリストリームによって必要とされる最小電力になるように設定することができる。例えば、これは、セカンダリストリームのために必要とされる電力を、セカンダリストリームオフセットの最新値を使用して計算することによって、達成することができる。セカンダリストリームＴＢＳおよびＨＡＲＱオフセットは知られているので、ＷＴＲＵ１０２は、必要とされる利得係数／電力を、例えば、（例えば、式（２）に従って）セカンダリストリームオフセットを用いる外挿または内挿公式を使用して、決定することができる。ＷＴＲＵ１０２は、Ｅ−ＤＰＤＣＨおよびＳ−Ｅ−ＤＰＤＣＨ送信電力を、プライマリストリーム電力とセカンダリストリーム電力の大きい方になるように設定するように構成することができる。
【０１２８】
第２の方法では、ＷＴＲＵ１０２は、ランク２を用いて送信するのに十分な電力を有することを（例えば、ＮＲＰＭを使用して）最初に決定し、ランク２送信を仮定して、プライマリストリーム上でＥ−ＴＦＣ選択を実行するように構成することができる。
【０１２９】
処理時間および電力を節約するため、ＷＴＲＵ１０２は、Ｅ−ＴＦＣ選択手順の様々な段階で、ランク２が許可されるべきであるかどうかを決定するように構成することができる。一例では、ＷＴＲＵ１０２は、例えば、ランク２送信を仮定して、しかし、セカンダリストリーム再送については考慮せずに、（例えば、本明細書で説明される方法を使用して）プライマリストリームのための１組のサポートされるＥ−ＴＦＣを計算するように構成することができる。その後、ＷＴＲＵ１０２は、以下の基準のうちの１または複数が満たされる場合、ランク２送信が許可されないと決定することができ、プライマリストリーム上でランク１を用いて再送する。
【０１３０】
１）ＷＴＲＵ１０２が、プライマリストリームのための最大のサポートされるＥ−ＴＦＣＩが、（例えば、最小ＴＢＳ、最小Ｅ−ＴＦＣＩに対応する）最小値を下回ると決定する、
２）ＷＴＲＵ１０２が、プライマリストリームのための最大のサポートされるＥ−ＴＦＣＩが、（再送される）セカンダリストリームのＥ−ＴＦＣＩを下回ると決定する、または
３）ＷＴＲＵ１０２が、プライマリストリームのための最大のサポートされるＥ−ＴＦＣＩが、（再送される）セカンダリストリームのＥ−ＴＦＣＩを一定の閾値だけ下回ると決定する。
【０１３１】
別の例では、ＷＴＲＵ１０２は、サービンググラントに従って、最大トランスポートブロックサイズを計算するように構成することができる。その後、ＷＴＲＵ１０２は、以下の基準のうちの１または複数が満たされる場合、ランク２送信が許可されないと決定することができ、プライマリストリーム上でランク１を用いて再送する。
【０１３２】
１）ＷＴＲＵ１０２が、プライマリストリームのためのサービンググラントによる最大トランスポートブロックサイズが、（例えば、最小ＴＢＳ、最小Ｅ−ＴＦＣＩに対応する）最小値を下回ると決定する、
２）ＷＴＲＵ１０２が、プライマリストリームのためのサービンググラントによる最大トランスポートブロックサイズが、（再送される）セカンダリストリームのトランスポートブロックサイズを下回ると決定する、
３）ＷＴＲＵ１０２が、ＳＧと、与えられたＴＴＩにおいて送信することができるスケジュールされていないＭＡＣ−ｄフローの総和とによる最大ＴＢサイズが、ランク２送信のための最小ＴＢを下回ると決定する、または
４）ＷＴＲＵ１０２が、ＳＧと、与えられたＴＴＩにおいて送信することができるスケジュールされていないＭＡＣ−ｄフローの総和とによる最大ＴＢサイズが、（再送される）セカンダリストリームのトランスポートブロックサイズを下回ると決定する。
【０１３３】
ＷＴＲＵ１０２は、サービンググラントによるビットの最大数ばかりでなく、スケジュールされていない送信のためのビットの最大数も考慮するように構成することもできる。
【０１３４】
別の例では、ＷＴＲＵ１０２は、セカンダリストリーム上の１組のサポートされるＥ−ＴＦＣＩを、例えば、オフセットの最新値を考慮して計算し、再送されるＥ−ＴＦＣＩが現在の送信においてサポートされるかどうかを決定するように構成することができる。これは、例えば、以下の手法を使用して達成することができる。
【０１３５】
ＷＴＲＵ１０２は、式（１）を使用して、ＮＲＰＭを計算することができる。その後、ＷＴＲＵ１０２は、セカンダリストリームのための１組のサポートされるＥ−ＴＦＣＩを、例えば、以下のようにして、決定することができ、すなわち、ランク２送信を仮定する、セカンダリストリームのための１組のサポートされるＥ−ＴＦＣＩは、ＮＲＰＭi≧２Σ（β’ed,j／βc）2である場合、ランク２送信を用いてセカンダリストリーム上でＥ−ＴＦＣjをサポートすることができ、それ以外の場合、ランク２送信を用いてセカンダリストリーム上でそれをサポートすることができないように、（非圧縮フレームの場合）決定することができる。Ｓ−Ｅ−ＤＰＤＣＨのための利得係数β’ed,jは、例えば、外挿公式の式（２）に従って、セカンダリストリームオフセットを考慮することによって、計算することができる（同様の概念は内挿公式についても適用される）。その後、ＷＴＲＵ１０２は、セカンダリストリーム上の再送Ｅ−ＴＦＣがサポートされるかどうかを決定する。
【０１３６】
ＷＴＲＵ１０２は、セカンダリストリーム上の再送Ｅ−ＴＦＣがサポートされないと決定した場合、ランク１を使用して再送するように構成することができる。この動作は、ＷＴＲＵ１０２がプライマリストリーム上でセカンダリストリームを送信するのに類似することができる。それ以外の場合、ＷＴＲＵ１０２は、セカンダリストリーム再送を用いるランク２送信のためのＥ−ＴＦＣ選択手順を続行するように構成することができる。
【０１３７】
別の手法では、ＷＴＲＵ１０２は、ランク２送信が可能であると仮定し、利用可能な電力、サービンググラント、スケジュールされていないグラント、およびバッファステータスを考慮して、プライマリストリームのためのＥ−ＴＦＣ選択を実行することができる。プライマリストリームのための選択されたＥ−ＴＦＣＩが、ランク２送信のための最小ＴＢサイズを下回る場合、ＷＴＲＵ１０２は、ランク１送信にフォールバックすることができる（例えば、プライマリストリーム上のセカンダリストリームにおいてデータを再送する）。
【０１３８】
セカンダリストリーム送信電力および事後送信ランク（ａ−ｐｏｓｔｅｒｉｏｒｉ  ｔｒａｎｓｍｉｓｓｉｏｎ  ｒａｎｋ）を決定するための例が、これ以降で説明される。例えば、これは、セカンダリストリームオフセットの最新値を使用して、セカンダリストリームのための必要とされる電力を計算することによって、達成することができる。セカンダリストリームＴＢＳおよびＨＡＲＱオフセットは知られているので、ＷＴＲＵ１０２は、利得係数／電力を、（例えば、式（２）に従って）セカンダリストリームオフセットを用いる外挿または内挿公式を使用して、決定することができる。ＷＴＲＵ１０２は、Ｅ−ＤＰＤＣＨおよびＳ−Ｅ−ＤＰＤＣＨ送信電力を、プライマリストリーム電力とセカンダリストリーム電力の大きい方になるように設定するように構成することができる。
【０１３９】
選択された送信電力が最大ヘッドルームを超える場合、ＷＴＲＵ１０２は、電力スケーリングをさらに適用して、最大電力限界が超過されないことを保証することができる。ＷＴＲＵ１０２は、結果として得られたプライマリストリーム電力が、セカンダリストリームのための送信電力よりも低い場合、ランク１を用いて送信するように構成することもできる。そのようなシナリオでは、ＷＴＲＵ１０２は、電力制限のために、ランク１にフォールバックすることができる。したがって、ＷＴＲＵ１０２は、プライマリストリーム上でセカンダリストリームを再送することができる。
【０１４０】
さらに、ＷＴＲＵ１０２は、セカンダリストリームのための１組のサポートされるＥ−ＴＦＣを決定するように構成することができる。一例では、１組のサポートされるＥ−ＴＦＣは、直近の利用可能なセカンダリストリームオフセットを使用して、計算することができる。その後、ＷＴＲＵ１０２は、再送セカンダリストリームＥ−ＴＦＣがサポートされるかどうかを決定することができる。再送セカンダリストリームＥ−ＴＦＣがサポートされない場合、ＷＴＲＵ１０２は、電力制限のために、ランク１送信にフォールバックすることができる。したがって、その場合、ＷＴＲＵ１０２は、プライマリストリーム上でセカンダリストリームを再送することができる。
【０１４１】
ＷＴＲＵ１０２は、Ｅ−ＴＦＣ選択手順において、スケジュールされていない送信をスケジュールされた送信として扱うこともできる。ＷＴＲＵ１０２は、スケジュールされていない送信のためのビットの数を用いて構成することもできる。ＵＬ  ＭＩＭＯ動作の場合、ＷＴＲＵ１０２は、スケジュールされていない送信のためのビットの数を用いて構成することができる。ＷＴＲＵ１０２は、両方のストリームにわたって集計された、スケジュールされていない送信のためのビットの単一の総数を用いて構成することもできる。ＷＴＲＵ１０２は、スケジュールされていないビットのストリーム毎の数を用いて構成することもできる。
【０１４２】
ＷＴＲＵ１０２をスケジュールされていないビットの単一のプールを用いて構成することができる場合、ＷＴＲＵ１０２は、両方のストリームにわたるスケジュールされていないビットのこの合計を送信することができる。セカンダリストリームのためのＥ−ＴＦＣ選択を実行する場合、ＷＴＲＵ１０２は、プライマリストリームが残したスケジュールされていないビットを、セカンダリストリームのためのスケジュールされていないビットの最大数として使用することができる。あるいは、ＷＴＲＵ１０２は、スケジュールされていない送信をプライマリストリーム上でのみ送信することができる。
【０１４３】
リリース９デュアルセルＨＳＵＰＡ（ＤＣ−ＨＳＵＰＡ）では、スケジュールされていない送信は、主としてプライマリアップリンク周波数上で送信することができる。この理由は、ＵＬにおける雑音および干渉管理は周波数毎に独立することができるためであった。ノードＢ１４０a〜１４０cのいずれか１つが、スケジュールされていないグラントを適切に事前に割り当て、キャリア毎に潜在的な雑音上昇に備えるために、ノードＢは、周波数のいずれかにおける潜在的なスケジュールされていない送信を考慮して、リソースを２倍確保しなければならないことがある。したがって、この生じ得る非効率を克服するため、スケジュールされていない送信をプライマリキャリアに制限することが決定された。
【０１４４】
しかしながら、ＵＬ  ＭＩＭＯの場合、両方のストリームにおいて使用される電力は等しくできるという事実のため、望ましくないシナリオは僅かに異なることができる。プライマリストリームが満杯である場合、十分な電力ヘッドルームが利用可能であるならば、ＷＴＲＵ１０２は、（スケジュールされていないグラントを最大とする）スケジュールされていないデータと、（伝達されたサービンググラントを最大とする）スケジュールされたデータとの両方を含むことができる。セカンダリストリームにおける電力は、プライマリストリーム電力に等しくでき、それは、ＷＴＲＵ１０２が、サービンググラントのみが単独で許可するよりも多くの電力を送信することをもたらすことができる。これは、図２に示されている。図２は、送信される電力に及ぼすスケジュールされていないグラントの影響を示している。スケジュールされていないグラント電力２０２は、ＳＧが許可したところ（２０６）を上回って、セカンダリストリーム送信電力２０４を増やすことができる。
【０１４５】
上で説明された望ましくないシナリオは、スケジュールされていないデータの送信をプライマリストリーム上に制限することができるかどうかに関わらず、発生することができる。通信システム１００は、ＷＴＲＵ１０２が、両方のストリームにおいて最大でＳＧ＋非サービンググラント（ＮＳＧ）の電力を用いて、最終的に送信することができ、それによって、その雑音上昇予算において所望量の２倍を確保することを仮定することができる。説明された望ましくないシナリオは、任意の組み合わせで使用することができる、以下の例のうちの１または複数を使用して、解決または緩和することができる。
【０１４６】
ＷＴＲＵ１０２は、許可されたＭＡＣ−ｄフローの各々のためのランク２送信を実行する場合、最大でプライマリストリーム上のそのスケジュールされていないグラントの半分までと、最大でセカンダリストリーム上のそのスケジュールされていないグラントの半分までとを使用するように構成することができる。ＷＴＲＵ１０２は、プライマリストリーム上でそのスケジュールされていないグラントの半分を使用することができ、ＷＴＲＵ１０２は、スケジュールされていないグラントによって決定される追加量を合計して送信することができる。
【０１４７】
ＷＴＲＵ１０２は、ノードＢ１４０a〜１４０cのいずれか１つへのランク２送信を実行する場合、最大でプライマリストリーム上のそのスケジュールされていないグラントの半分までと、セカンダリストリーム上のスケジュールされていないグラントの残量（最大で対応するＭＡＣ−ｄフローのためのスケジュールされていないグラントの全部まで）とを使用するように構成することができる。ＷＴＲＵ１０２は、（例えば、プライオリティリストが原因で）プライマリストリーム上でスケジュールされていない送信を行うことはできないが、同じＴＴＩの間にセカンダリストリーム上で送信する、よりプライオリティが低いスケジュールされていないデータを有することができる。プライオリティが高いスケジュールされていないデータが存在する場合、ＷＴＲＵ１０２は、プライマリストリーム上で大きすぎる電力を用いて送信しないことを保証するような方法で（すなわち、スケジュールされていないグラントをスケジュールされていないグラントの合計の半分に制限することによって）、グラントを制限することができる。
【０１４８】
ＷＴＲＵ１０２は、ＨＡＲＱプロセスに基づいて、ランク２送信のために構成することができる。いくつかのＨＡＲＱプロセスは、デュアルストリーム動作のために構成することができ、一方、他のＨＡＲＱプロセスは、非アクティブ化することができ、またはレガシランク１送信のために構成することができる。ＷＴＲＵ１０２は、デュアルストリーム動作のために構成されるＨＡＲＱプロセスのためのスケジュールされていないグラントを用いずにさらに構成することができる。
【０１４９】
加えて、ＷＴＲＵ１０２は、デュアルストリーム送信とともにスケジュールされていないグラントを使用しないように構成することができる。そのような場合、ＷＴＲＵ１０２は、スケジュールされていないグラントを使用することができないそれらのランク２送信の間、スケジュールされたグラントを使用して、スケジュールされていないデータを送信することができる。
【０１５０】
ＷＴＲＵは、利用可能な電力の関数に基づいて、セカンダリストリームおよび／またはプライマリストリームのための有効なサービンググラントを計算することもできる。利用可能な電力が、ＷＴＲＵ１０２が構成されたサービンググラントを最大として送信するのに十分でない場合、ＷＴＲＵ１０２は、プライマリストリームまたはセカンダリストリームのグラントをスケーリングすることができる。
【０１５１】
加えて、スケジュールされていない送信が考慮されない場合と、スケジュールされていない送信が考慮される場合も考察される。スケジュールされていない送信は、スケジュールされたグラントを使用することができない。代わりに、ＷＴＲＵ１０２は、ネットワークによって構成されるスケジュールされていないグラントを使用するように構成することができる。スケジュールされていない送信は、スケジュールされたグラントを使用することができず、それらは、任意の与えられた送信内に（構成された場合は）存在することができるので、ＷＴＲＵ１０２は、スケジュールされていない送信が原因で、ＷＴＲＵ１０２が電力限界を超えて送信しないことを保証するために、ＳＧをスケーリングする場合、スケジュールされていない送信を考慮することができる。
【０１５２】
ＷＴＲＵ１０２は、スケジュールされていない送信を考慮せずに、プライマリストリームおよび／またはセカンダリストリームのための有効なサービンググラントを決定することもできる。これは、例えば、スケジュールされていない送信が送信電力に著しい影響を有さないと決定された場合、ＷＴＲＵ１０２のバッファがスケジュールされていないデータを含まない場合、スケジュールされていない送信のために送信が許可もしくは構成されない場合、またはＷＴＲＵ１０２がスケジュールされていないデータを送信するように構成されない場合に適用可能とすることができる。
【０１５３】
ＷＴＲＵ１０２は、電力制限される場合、スケーリングをＳＧに適用することができる。「電力制限」されるＷＴＲＵに言及する場合、それは、ランク２電力制限に言及しており、「ランク２電力制限」されるＷＴＲＵと等価とすることができる。ＷＴＲＵ１０２は、その現在の電力ヘッドルームを用いてそのサービンググラントを満たすことができない場合に電力制限を受けることができる。例えば、ＷＴＲＵ１０２は、ヘッドルームに基づいてサポートされる最大ペイロード（ビット数）と、サービンググラントに基づいてサポートされる最大ペイロードとを比較することによって、電力制限されるかどうかを決定することができる。より具体的には、ＷＴＲＵ１０２は、例えば、上で開示された例に基づいて、プライマリストリームおよびセカンダリストリーム上の最大のサポートされるランク２  Ｅ−ＴＦＣを決定することができ、各ストリームのためにサポートされるビットの最大数を加算することによって、ＳＧを用いてサポートされるビットの最大数を決定することができ、（式（４）に基づいて）プライマリストリームおよびセカンダリストリームのためにＳＧによってサポートされるビットの数を決定することができる。ＷＴＲＵ１０２は、その後、結果を比較し、ヘッドルームに基づいた最大ペイロードが、現在のＳＧに基づいた最大ペイロードよりも小さい場合、電力制限されると決定することができる。
【０１５４】
別の例では、ＷＴＲＵ１０２は、直接的にＮＲＰＭをＳＧと比較することによって、ランク２電力制限されるかどうかを決定することができる。例えば、ＮＲＰＭがＳＧの２倍（またはＳＧが合計サービンググラントを表す場合はＳＧ）よりも小さい場合、ＷＴＲＵ１０２は、電力制限されるかと決定することができ、それ以外の場合、ＷＴＲＵ１０２は、グラント制限されると決定することができる。ＷＴＲＵ１０２は、式（１）で計算されるようなＮＲＰＭを使用することができる。
【０１５５】
ＷＴＲＵ１０２は、ランク２電力制限されると決定した場合、サービンググラントをスケーリングすることができる。ＷＴＲＵ１０２は、ＳＧへのスケーリング係数の適用後は、ＷＴＲＵ１０２がもはや電力制限されないことを保証するような方法で、スケーリング係数を決定することができる。例えば、ＷＴＲＵ１０２は、スケーリング係数（α）を、以下のように決定することができる。
【０１５６】
【数１１】
2015525537.tif 000014
【０１５７】
その後、ＷＴＲＵ１０２は、スケーリング係数をサービンググラントに適用することができる。プライマリストリームのためのスケーリングされたサービンググラントは、（線形領域では）以下のように表現することができる。
【０１５８】
ＳＧp,scaled＝αＳＧ    式（１４）
結果として得られた仮想セカンダリストリームサービンググラントは、（線形領域では）以下のように表現することができ、
ＳＧs,scaled＝αＳＧ／Δｏｆｆｓｅｔ＝ＳＧp,scaled／Δｏｆｆｓｅｔ    式（１５）
ここで、Δｏｆｆｓｅｔは、（線形領域における）ネットワークによって伝達されるようなセカンダリストリームに適用されるオフセットである。対数またはデシベル領域でも類似の式または表現を導出することができることに留意されたい。
【０１５９】
セカンダリストリームについては、ＷＴＲＵ１０２は、サービンググラントをスケーリングすることができず、代わりに、プライマリストリーム上の実際の選択された送信電力を使用して、仮想グラントを、例えば、以下のように決定することができ、
【０１６０】
【数１２】
2015525537.tif 000015
【０１６１】
ここで、Ｅ−ＤＰＤＣＨ利得係数は、プライマリストリーム上の選択されたＴＢＳに基づいて、決定することができる。
【０１６２】
ＷＴＲＵ１０２は、スケジュールされていない送信を考慮して、プライマリストリームおよび／またはセカンダリストリームのための有効なサービンググラントを決定することができる。これは、例えば、スケジュールされていない送信が送信電力に相当な影響を有すると決定された場合、ＷＴＲＵ１０２のバッファがスケジュールされていないデータを含む場合、スケジュールされていない送信のために送信が許可もしくは構成される場合、またはＷＴＲＵ１０２がスケジュールされていないデータを送信するように構成される場合に適用可能とすることができる。
【０１６３】
ＷＴＲＵ１０２は、電力制限される場合、スケーリングをＳＧに適用するように構成することができる。ＷＴＲＵ１０２は、その現在の電力ヘッドルームを用いて、スケジュールされていないグラントを加えたそのサービンググラントを、すなわち、合計グラントを満たすことができない場合に電力制限を受けることができる。ＷＴＲＵ１０２は、例えば、ヘッドルームに基づいてサポートされる最大ペイロード（ビット数）と、サービンググラントとスケジュールされていないグラントの合計に基づいてサポートされる最大ペイロードとを比較することによって、電力制限されるかどうかを判定することができる。より具体的には、ＷＴＲＵ１０２は、プライマリストリームおよびセカンダリストリーム上の最大のサポートされるランク２  Ｅ−ＴＦＣを決定することができる。ＷＴＲＵ１０２は、各ストリームのためにサポートされるビットの最大数およびスケジュールされていないグラントの合計を加算することによって、ＳＧを用いてサポートされる最大ビット数をさらに決定することができる。
【０１６４】
さらに、ＷＴＲＵ１０２は、（式（４）に基づくなどして）プライマリストリームおよびセカンダリストリームのための合計グラントによってサポートされるビットの数を決定し、その後、ネットワークによって構成されるスケジュールされていないグラントを加算することができる（スケジュールされていないグラントはビットの数として表現することができる）。ＷＴＲＵ１０２は、その後、ヘッドルームおよび合計グラントの結果を比較することができ、ヘッドルームに基づいた最大ペイロードが、合計グラントに基づいた最大ペイロードよりも小さい場合、電力制限されると決定することができる。
【０１６５】
別の例では、ＷＴＲＵ１０２は、直接的にＮＲＰＭを（電力比で表現される）合計グラントと比較することによって、ランク２電力制限されるかどうかを決定することができる。例えば、ＮＲＰＭが合計グラントの２倍よりも小さい場合、ＷＴＲＵ１０２は、電力制限されると決定することができる。それ以外の場合、ＷＴＲＵ１０２は、グラント制限されると決定することができる。ＷＴＲＵ１０２は、例えば、スケジュールされていないグラントのために使用される電力（Ｐｎｏｎ−ｓｇ）を計算することによって、電力比で表現される合計グラントを決定することができる。その場合、ＷＴＲＵ１０２は、ＳＧと、例えば、ＮＳＧ＝Ｐｎｏｎ−ｓｇ／ＰDPCCHとして定義することができる、スケジュールされていないグラントの電力比（ＮＳＧ）との総和として、合計グラントを決定することができ、ここで、Ｐｎｏｎ−ｓｇは、スケジュールされていないグラントの推定電力である。
【０１６６】
ＷＴＲＵ１０２は、ランク２電力制限されると決定した場合、ＳＧをスケーリングすることができる。ＷＴＲＵ１０２は、ＳＧへのスケーリング係数の適用後は、（スケジュールされていないグラントを考慮しても）ＷＴＲＵ１０２がもはや電力制限されない、すなわち、
２（ＳＧ＋ＮＳＧ）≦ＮＲＰＭ    式（１７）
となることを保証するような方法で、スケーリング係数を決定することができる。
【０１６７】
ＷＴＲＵ１０２は、スケーリング係数（α）を、以下のように決定することができる。
【０１６８】
【数１３】
2015525537.tif 000016
【０１６９】
その後、ＷＴＲＵ１０２は、スケーリング係数をサービンググラントに適用することができる。プライマリストリームのためのスケーリングされたサービンググラントは、（線形領域では）以下のように表現することができる。
【０１７０】
ＳＧp,scaled＝αＳＧ    式（１９）
結果として得られた仮想セカンダリストリームサービンググラントは、（線形領域では）以下のように表現することができ、
ＳＧs,scaled＝αＳＧ／Δｏｆｆｓｅｔ＝ＳＧp,scaled／Δｏｆｆｓｅｔ    式（２０）
ここで、Δｏｆｆｓｅｔは、（線形領域における）ネットワークによって伝達されるようなセカンダリストリームに適用されるオフセットである。対数またはデシベル領域でも類似の式または表現を導出することができることに留意されたい。
【０１７１】
ＷＴＲＵ１０２は、プライマリストリームおよびセカンダリストリームのための有効なサービンググラントを決定することができる。この有効なサービンググラントは、スケジュールされた送信のためのグラントばかりでなく、スケジュールされていない送信のためのグラントも考慮することができる。そのような場合、プライマリストリームおよびセカンダリストリームのための有効なグラントは、（線形領域では）以下のように表現することができる。
【０１７２】
ＳＧp,eff＝αＳＧ＋ＮＳＧ    式（２１）
ＳＧs,eff＝αＳＧ／Δｏｆｆｓｅｔ＋ＮＳＧ    式（２２）
ＷＴＲＵ１０２は、以下の基準が満たされる場合、すなわち、サービンググラントとプライマリストリームおよび／またはセカンダリストリーム上のスケジュールされていないデータとに関連する最大の許可されたＴＢＳが、最小の許可されたデュアルストリームＴＢＳ以上であり、プライマリストリームまたは両方のストリーム上のランク２送信のための利用可能な電力に関連する最大のサポートされるＥ−ＴＦＣＩが、最小の許可されたデュアルストリームＴＢＳ以上であり、ならびに両方のストリーム上で送信することができるビットの総数が、最小の許可されたデュアルストリームＴＢＳ以上である場合に、ランク２送信をサポートすることができると決定することができる。
【０１７３】
最小の許可されたデュアルストリームＴＢＳは、ノードＢ１４０a〜１４０cのいずれか１つからのＲＲＣメッセージングを介して、ネットワークによって構成可能とすることができ、および／またはＷＴＲＵ１０２によって決定することができる（例えば、ＷＴＲＵは、２＊ＳＦ2＋２＊ＳＦ4を使用して送信することができる、最初のＥ−ＴＦＣＩに基づいて、値を決定する）。
【０１７４】
許可されたグラントに従って送信することができるビットの数に基づいて、デュアルストリーム送信がサポートされるかどうかを決定するために、ＷＴＲＵ１０２は、与えられたグラントを用いて、プライマリストリーム上でデュアルストリームを仮定して送信することができるビットの数を決定することができる。より具体的には、ＷＴＲＵ１０２は、以下の基準、すなわち、
−（プライオリティが最も高いＭＡＣ−ｄフローのＨＡＲＱプロファイルを考慮した）プライマリストリームのＳＧに基づいた送信されることが許可されたビットの総数が、最小の許可されたデュアルストリームＴＢＳ以上であること、
−ＳＧに関連した送信されることが許可されたスケジュールされたビットの総数、および与えられたＴＴＩにおいて多重化されることが許可されたＭＡＣ−ｄフローのためのスケジュールされていないグラントに基づいた送信されることが許可されたスケジュールされていないビットの総数が、最小の許可されたデュアルストリームＴＢＳ以上であること（あるいは、許可されたスケジュールされていないビットの合計の半数を考えることもできる）、
−ＳＧの値が、構成もしくは事前決定された電力閾値以上であること、または
−ＳＧ＋Ｐｎｏｎ−ｓｇの値が、構成もしくは事前決定された閾値以上であること
の１つまたは組み合わせが満たされる場合、デュアルストリーム送信をサポートすることができる。
【０１７５】
ＷＴＲＵ１０２は、第２のストリーム上の仮想サービンググラントに基づいて、最小の許可されたデュアルストリームＴＢＳ基準がセカンダリストリーム上で満たされるかどうかを決定することができる。仮想サービンググラントは、上で説明された方法または構成に基づいて決定することができる。より具体的には、ＷＴＲＵ１０２は、以下が第２のストリーム上で満たされる場合、すなわち、
−第２のストリームもしくは仮想グラント値に基づいたセカンダリストリーム上で送信されることが許可されたビットの総数が、最小の許可されたデュアルストリームＴＢＳ以上であり、
−セカンダリストリームＳＧもしくは仮想サービンググラントの値が、構成された閾値以上であり、または
−スケジュールされていないビット＋スケジュールされたビットの数が、最小の許可されたデュアルストリームＴＢＳを上回り、スケジュールされていないビットが、与えられたＴＴＩにおいて多重化されることが許可されたＭＡＣ−ｄフローのためのスケジュールされていないグラントに基づいた送信されることが許可されたスケジュールされていないビットの合計の半数、スケジュールされていないビットの全数、もしくはプライマリストリーム上で送信されるように構成されたスケジュールされていないビットの数に対応することができる
場合、デュアルストリームを選択することができる。
【０１７６】
最小の許可されたデュアルストリームＴＢＳ基準が両方のストリームにおいて満たされる場合、グラントに基づいたデュアルストリーム送信を決定することができる。例えば、プライマリストリームについてだけ基準を検査することができ、またはＷＴＲＵ１０２は、セカンダリストリームについてだけ検査を実行することができる。最小の許可されたデュアルストリームＴＢＳがセカンダリストリームについて満たされる場合、グラントに基づいて、与えられたＴＴＩの間、デュアルストリーム動作をサポートすることができる。
【０１７７】
利用可能な電力に基づいて、デュアルストリーム動作がサポートされるかどうかを決定するために、ＷＴＲＵ１０２は、（デュアルストリーム動作が仮定される場合）プライマリストリームのための、およびセカンダリストリームのための１組のサポートされるＥ−ＴＦＣＩを決定することができる。その後、ＷＴＲＵ１０２は、デュアルストリームがプライマリストリームにおいて、セカンダリストリームにおいて、または両方においてサポートされるかどうかを、以下の基準の一方または両方、すなわち、
−プライマリストリーム上の最大のサポートされるＥ−ＴＦＣＩが、最小の許可されたデュアルストリームＴＢＳ以上であること、または
−セカンダリストリーム上の最大のサポートされるＥ−ＴＦＣＩが、最小の許可されたデュアルストリームＴＢＳ以上であること
が満たされる場合に決定することができる。
【０１７８】
ＷＴＲＵ１０２は、与えられたＴＴＩにおいて送信および多重化されることが許可されたスケジュールされたビットの総数＋許可されたＭＡＣ−ｄフローのための許可されたスケジュールされていないグラントを最大とするスケジュールされていないビットの総数が、最小の許可されたデュアルストリームＴＢＳの２倍よりも大きい場合、デュアルストリーム送信がサポートされると決定することができる。
【０１７９】
加えて、ＷＴＲＵ１０２は、デュアルストリームがサポートされるかどうかを、サービンググラントに従って最初に決定することができる。デュアルストリームがサポートされる場合、ＷＴＲＵ１０２は、上で説明されたような、デュアルストリームＥ−ＴＦＣ制約手順を実行することができる。それ以外の場合、ＷＴＲＵ１０２は、シングルストリームＥ−ＴＦＣ制約およびＥ−ＴＦＣ選択を実行することができる。Ｅ−ＴＦＣ制約に従って、ＷＴＲＵ１０２がデュアルストリームをサポートする場合、ＷＴＲＵ１０２は、続いて、デュアルストリームＥ−ＴＦＣ選択を実行することができる。上記のステップは任意の順序で行うことができることが理解されよう。
【０１８０】
別の例では、ＷＴＲＵ１０２は、シングルおよびデュアルストリーム送信を仮定して、並列で１組のサポートされるＥ−ＴＦＣＩを計算し、これらの入力をＥ−ＴＦＣ選択機能に提供することができる。ＷＴＲＵ１０２は、プライマリストリームおよび／またはセカンダリストリーム上でグラントに基づいてサポートされるビットの数を決定することができる。その後、ＷＴＲＵ１０２は、デュアルストリームＥ−ＴＦＣ選択を実行すべきか、それともシングルストリームＥ−ＴＦＣ選択を実行すべきかを、上で説明されたようなデュアルストリーム送信のための合計グラントおよびサポートされるＥ−ＴＦＣＩについての基準が満たされるかどうかで判定することができる。
【０１８１】
デュアルストリームがサポートされると決定された場合、ＷＴＲＵ１０２は、（デュアルストリームＥ−ＴＦＣ制約に基づいた）プライマリストリームのための許可されたサポートされるＥ−ＴＦＣＩと、サービンググラントと許可されたスケジュールされていないＭＡＣ−ｄフローのためのスケジュールされていないグラントの総和とに従って、ランク２を仮定して第１のストリーム上で送信することができるビットの数を含むことができるグラントされたペイロードの合計と、許可されたＭＡＣ−ｄフローのための利用可能なビットの数とのうちで最小のものを最大として、最初にプライマリストリームを満杯にすることができる。
【０１８２】
プライマリストリームのために選択された最終的なＥ−ＴＦＣＩが、最小の許可されたデュアルストリームＴＢＳ以上である場合、ＷＴＲＵ１０２は、続いて、セカンダリストリームトランスポートブロックを満杯にし、セカンダリストリームのためのＥ−ＴＦＣ選択を実行することができる。
【０１８３】
ＷＴＲＵ１０２は、プライオリティが最高のＭＡＣ−ｄフローおよび多重化リストを事前に決定することができ、またはそれらをプライマリストリームのために決定されたものとして使用することができる。ＷＴＲＵ１０２は、
−セカンダリストリームのためのサポートされるＥ−ＴＦＣＩ、
−グラントされたペイロード（例えば、仮想サービンググラントに基づいた第２のストリーム上で許可されたビットの数、（プライマリストリーム上で完全に使用され切らなかった）残りのスケジュールされていないグラントと見なすことができる）、および
−許可されたＭＡＣ−ｄフローの利用可能な残りのバッファ
のうちの最小のものに基づいて、セカンダリストリームを満杯にすることもできる。
【０１８４】
加えて、ＷＴＲＵ１０２は、式（５）によって決定されるような、選択されたＥ−ＴＦＣＩを第１のストリームで送信するために必要とされる電力を使用してセカンダリストリーム上のビットの許可された数を計算することによって決定される、ビットの最大の許可された数の最小値を最大として、ＭＡＣ−ｄフロープライオリティに従って、セカンダリストリームを満杯にすることができる。この場合、最大の許可されたペイロード（例えば、最大のサポートされるペイロード）およびグラントされたペイロードは、式（５）で計算される値になるように設定することができる。セカンダリストリーム上で送信することができるビットの数は、プライマリストリームＥ−ＴＦＣＩを送信するために必要とされる最終的な送信電力、および許可されたＭＡＣ−ｄフローの利用可能な残りのバッファに基づいて決定することができることが理解されよう。スケジュールされていない送信が許可され、セカンダリストリーム上で利用可能である場合、ＷＴＲＵ１０２は、（まだプライマリストリームにおいて使用されていない）ＭＡＣ−ｄフローのためのスケジュールされていないグラントによって許可されるのと同数のスケジュールされていないビットを使用することができ、その後、プライオリティが次に高いＭＡＣ−ｄフローに移って、セカンダリストリームＴＢ内の残りのスペースを満杯にすることができる。
【０１８５】
セカンダリストリームのための選択されたＥ−ＴＦＣＩが、最小の許可されたデュアルストリームＴＢＳを上回る場合、ＷＴＲＵ１０２は、両方のストリームのための最終的な送信電力を決定し、データを送信することができる。
【０１８６】
セカンダリストリームのための選択されたＥ−ＴＦＣＩが、最小の許可されたデュアルストリームＴＢＳよりも低い場合、ＷＴＲＵ１０２は、シングルストリーム送信にフォールバックすることができる。この場合、ＷＴＲＵ１０２は、以下の１つまたは組み合わせを実行することができる。ＷＴＲＵ１０２は、トランスポートブロックを送信し、デュアルストリームが仮定された場合に決定されるように、プライマリストリームにおけるＥ−ＴＦＣＩを選択することができる（例えば、Ｅ−ＴＦＣ選択は、シングルストリームを仮定して再び実行されない）。あるいは、ＷＴＲＵ１０２は、シングルストリーム送信のためのＥ−ＴＦＣＩまたはトランスポートブロックを再決定することができる。ＷＴＲＵ１０２は、（基準Ｅ−ＴＦＣＩが異なる場合）ＳＧに基づいて、シングルストリームのためのビットの新しい最大の許可された数を決定することができる。
【０１８７】
さらに、ＷＴＲＵ１０２は、手順の開始時に、値を計算することができる（例えば、ＷＴＲＵ１０２は、プライマリストリーム上のビットの最大数をランク１およびランク２の両方について計算する）。ＷＴＲＵ１０２は、上で説明されたように、シングルストリーム送信のための新しい１組のサポートされるＥ−ＴＦＣＩを決定することができる。ＷＴＲＵ１０２は、手順の開始時に、第１のストリームにおける１組のサポートされるＥ−ＴＦＣＩをランク１およびランク２両方について計算することもできる。
【０１８８】
ＷＴＲＵ１０２は、シングルストリーム送信のために許可されたビットの新しい最大数、シングルストリーム送信のためのサポートされるＥ−ＴＦＣＩ、および利用可能なバッファを最大として、トランスポートブロックを満杯にすることができる。ストリームの少なくとも一方におけるトランスポートブロックが、最小の許可されたデュアルストリームＥ−ＴＦＣＩを下回るが、（あるレベルを最大とするパディングを可能にする）一定の許可されたＥ−ＴＦＣＩを上回る場合、一定数のビットを最大としてパディングを行うことを、ＷＴＲＵ１０２に許可することができる。
【０１８９】
ＷＴＲＵ１０２は、通信システム１００から送信される信号に基づいて、セカンダリストリームオフセットを決定することができる。一例では、セカンダリストリームオフセットは、サービンググラントに対するインデックスオフセットとして伝達することができる。結果として、ＷＴＲＵ１０２は、現在のサービンググラント（ベースライン）のエントリに対応するサービンググラントテーブル内のエントリを見つけ、受信されたインデックスに対応するテーブル内のエントリの数だけそれを減らすことによって、セカンダリストリームのための実際の仮想サービンググラントを決定することができる。一例では、ベースラインは、現在のサービンググラントとすることができる。ＷＴＲＵ１０２は、絶対グラントの最新値をベースラインとして使用することができる（それによって、いずれの相対グラントも無視する）。ＷＴＲＵ１０２は、最新の絶対グラントが受信されて以降に受信することができたいずれの非サービング相対グラントも無視して、サービンググラントの最新値を使用することもできる。
【０１９０】
ＷＴＲＵ１０２は、セカンダリストリームのための結果として得られた仮想グラントを、伝達されたＳＧと比較することによって、実際のΔｏｆｆｓｅｔを決定することもできる。例えば、ＷＴＲＵ１０２は、上で説明されたように、仮想グラントを計算し、その後、Δｏｆｆｓｅｔを（線形領域では）以下のように計算することができ、
Δｏｆｆｓｅｔ＝ＳＧ／（仮想ＳＧ）    式（２３）
Δｏｆｆｓｅｔも、ネットワークによってインデックスを介して伝達することができる。
【０１９１】
シングルストリームＥ−ＤＣＨでは、ハッピー（ｈａｐｐｙ）ビットを、Ｅ−ＤＰＤＣＨ送信毎にＥ−ＤＰＣＣＨ上で送信することができる。ハッピービットは、ＷＴＲＵ１０２が、そのデータレートを改善するために、より高いグラントを使用することができるかどうかを（例えば、利用可能な電力、現在使用されているグラント、および利用可能なデータが与えられた場合に、現在の与えられたグラントでハッピーかどうかを）、ネットワークに知らせるために使用することができる。ハッピービットは、２つの値を取ることができ、ＷＴＲＵ１０２がその現在のグラントに満足している場合は、「ハッピー」であり、またはそれ以外の場合は、「アンハッピー」である。
【０１９２】
ＷＴＲＵ１０２は、現在のグラントおよびアクティブプロセスの数が与えられた場合に、現在の送信において、すべてのサービンググラントを使用しており、より高いデータレートで送信するのに十分な電力を有しており、Ｈａｐｐｙ＿ｂｉｔ＿ｄｅｌａｙ＿ｃｏｎｄｉｔｉｏｎミリ秒以内にバッファを空にできない場合、アンハッピーであることを知らせることができる。上記の基準のいずれかが満たされない場合、ＷＴＲＵ１０２は、「ハッピー」を知らせることができる。
【０１９３】
ランク２送信を用いる場合、２つのＥ−ＤＰＣＣＨ（Ｅ−ＤＰＣＣＨおよびＳ−Ｅ−ＤＰＣＣＨ）が送信され、プライマリストリームおよびセカンダリストリームのための送信パラメータをそれぞれ知らせる。Ｓ−Ｅ−ＤＰＣＣＨもハッピービットを搬送するので、ランク２送信では利用可能なハッピービットが２つ存在する。
【０１９４】
ＵＬ  ＭＩＭＯ動作の状況では、各制御チャネルのハッピービットを設定する条件が存在することができる。ＷＴＲＵがランク２を用いて送信する場合、少なくとも一方のストリームにおけるハッピービットは、ＷＴＲＵ１０２が、現在のランク２送信グラントでハッピーか、それともアンハッピーかをネットワークに知らせるように設定される。
【０１９５】
デュアルセルＨＳＵＰＡ（ＤＣ−ＨＳＵＰＡ）の場合、ＷＴＲＵ１０２は、周波数毎に個別にハッピービット条件を検査することができる。加えて、ＤＣ−ＨＳＵＰＡではグラントおよび電力を個別に制御することができる。しかしながら、ＵＬ  ＭＩＭＯでは、プライマリセル上で伝達されるＳＧが１つ存在し、両方のストリームが等しい電力で送信される。さらに、セカンダリストリーム上のレートは、チャネル条件によって決定することができる。
【０１９６】
Ｓ−Ｅ−ＤＰＤＣＨを送信する場合（ランク２）、ＷＴＲＵ１０２は、関連するＳ−Ｅ−ＤＰＣＣＨを送信するように構成することができる。Ｓ−Ｅ−ＤＰＣＣＨは、Ｅ−ＤＰＣＣＨと同じフォーマットを有することができ、ハッピービットを搬送することができる。このフィールドは、セカンダリハッピービットと呼ばれる。ＷＴＲＵ１０２は、セカンダリハッピービットの値を、Ｅ−ＤＰＣＣＨ上のハッピービットと同じ値になるように設定することができる。Ｅ−ＤＰＣＣＨおよびＳ−Ｅ−ＤＰＣＣＨ上でのハッピービットの設定、ならびに特定の制御チャネル（すなわち、Ｅ−ＤＰＣＣＨまたはＳ−Ｅ−ＤＰＣＣＨ）上でのハッピービットの設定は、他の制御チャネルにも等しく適用可能とすることができる。
【０１９７】
ランク２ハピネス（ｈａｐｐｉｎｅｓｓ）表示（すなわち、ＷＴＲＵ１０２がランク２条件における現在のサービンググラントに満足しているかどうか）のためのハッピービットの計算についての例が、これ以降で開示される。これらの新しい条件は、ＷＴＲＵ１０２がＵＬ  ＭＩＭＯを用いて構成され、ランク２を用いて送信しない場合（例えば、ＷＴＲＵ１０２がバッファ制限され、ノードＢ１４０a〜１４０cのいずれか１つが次のＴＴＩにおいて送信をランク１に制限することができる場合など）にも適用することができる。
【０１９８】
第１の基準では、ＷＴＲＵ１０２は、ＳＧによって許可されたのと同量のスケジュールされたデータを送信するかどうかを検査するように構成することができる。ＷＴＲＵ１０２は、２つのストリーム上で送信するので、各ストリーム上でサービンググラントによって許可されたのと同量のスケジュールされたデータを送信するかどうかを検査する。ＷＴＲＵ１０２は、プライマリストリーム上でスケジュールされたグラントと同量のデータを送信するかどうかを検査することができる。ＷＴＲＵ１０２は、プライマリストリーム上でスケジュールされたグラントと同量のデータを送信するかどうか、またセカンダリストリーム上でオフセットを考慮して割り当てられた電力によって許可されたのと同量のデータを送信するかどうかを検査することができる。
【０１９９】
ハッピービットの設定のための第２の基準において、ＷＴＲＵ１０２は、より高いデータレート（例えば、より高いＥ−ＴＦＣＩ）で送信するために利用可能な十分な電力を有するかどうかを検査するように構成することができる。ランク２送信の場合、Ｅ−ＤＣＨのための利用可能な電力を両方のストリームの間で分割することができることを仮定して、１組のサポートされるＥ−ＴＦＣＩが、Ｅ−ＴＦＣ制限手順によって計算される。ＷＴＲＵ１０２は、ランク２送信を仮定して、プライマリストリーム上でより高いデータレートで送信するために利用可能な十分な電力をＷＴＲＵ１０２が有するかどうかを検査することができる。ＷＴＲＵ１０２は、プライマリストリームおよびセカンダリストリーム上でより高いデータレートで送信するために利用可能な十分な電力をＷＴＲＵ１０２が有するかどうかを検査することができる。
【０２００】
第２の基準は、そのデータレートを増加させるために利用可能な十分な電力をＷＴＲＵ１０２が有するかどうかを判定するために、ネットワークによって使用することができる。ランク２送信を仮定した場合に、プライマリストリームおよびセカンダリストリームを同じ電力で送信するようにＷＴＲＵ１０２を構成することができる現在の状況では、上記の２つの例は等価である。したがって、ＷＴＲＵ１０２は、ランク２送信を仮定して、プライマリストリーム上でＥ−ＴＦＣＩを増加させるのに十分な電力を有する場合、定義によって、セカンダリストリーム上でも、より高い電力を用いて送信することができる。それがプライマリストリーム上で十分な電力を有さない場合、ＳＧの増加は、データレートを増加させない。
【０２０１】
ランク２の場合、ＳＧを増加させたとしても、レートは悪化していることがあるチャネル条件に依存するので、ＷＴＲＵ１０２は、セカンダリストリーム上のデータレートを増加させることができないことがある。しかしながら、ＷＴＲＵ１０２は、アップリンクチャネル条件についての即座の知識を有さないので、ハッピービットの設定は、セカンダリストリームオフセットの生じ得る変化を考慮することができない。
【０２０２】
第３の基準では、ＷＴＲＵ１０２は、現在のグラントを与えて、期間内にバッファを空にすることができるかどうかを決定することができる。この例では、ＷＴＲＵ１０２は、サービンググラント、セカンダリストリームオフセット、およびＨＡＲＱプロセスアクティブ化の現在の条件が維持されることを仮定して、構成された時間内にバッファを空にすることができるかどうかを決定することができる。より具体的には、ランク２送信について、以下のように基準を定義することができ、すなわち、２以上のストリーム送信が存在する場合、ハッピービットと同じＴＴＩ内でデータを送信するために各ストリームにおけるＥ−ＴＦＣ選択において選択されるものと同じ電力オフセットに基づいて、合計Ｅ−ＤＣＨバッファステータス（ＴＥＢＳ）は、現在の（Ｓｅｒｖｉｎｇ＿Ｇｒａｎｔ×プライマリストリーム上のプロセスの総数に対するアクティブなプロセスの比）プラス（（Ｓｅｒｖｉｎｇ＿Ｇｒａｎｔ−セカンダリストリームオフセット）×セカンダリストリーム上のプロセスの総数に対するアクティブなプロセスの比）を用いて送信されるのに、Ｈａｐｐｙ＿Ｂｉｔ＿Ｄｅｌａｙ＿Ｃｏｎｄｉｔｉｏｎミリ秒よりも多くを必要とすることができる。
【０２０３】
別の例では、ＷＴＲＵ１０２は、基準が以下のようになるように、仮想サービンググラントを使用するように構成することができ、すなわち、ハッピービットと同じＴＴＩ内でデータを送信するために各ストリームにおけるＥ−ＴＦＣ選択において選択されるものと同じ電力オフセットに基づいて、合計Ｅ−ＤＣＨバッファステータス（ＴＥＢＳ）は、現在の（Ｓｅｒｖｉｎｇ＿Ｇｒａｎｔ×プライマリストリーム上のプロセスの総数に対するアクティブなプロセスの比）プラス（Ｖｉｒｔｕａｌ＿Ｓｅｒｖｉｎｇ＿Ｇｒａｎｔ×セカンダリストリーム上のプロセスの総数に対するアクティブなプロセスの比）を用いて送信されるのに、Ｈａｐｐｙ＿Ｂｉｔ＿Ｄｅｌａｙ＿Ｃｏｎｄｉｔｉｏｎミリ秒よりも多くを必要とすることができ、Ｖｉｒｔｕａｌ＿Ｓｅｒｖｉｎｇ＿Ｇｒａｎｔは、Ｖｉｒｔｕａｌ＿ＳＳ＿ＳＧと等価とすることができる。
【０２０４】
その後、ＷＴＲＵ１０２は、上記の基準のいずれかが満たされない場合、ランク２送信中の（プライマリ）Ｅ−ＤＰＣＣＨ上のハッピービットの値を「ハッピー」になるように設定するように構成することができる。それ以外の場合、ＷＴＲＵ１０２は、ランク２送信中のＥ−ＤＰＣＣＨ上のハッピービットの値を「アンハッピー」になるように設定するように構成することができる。
【０２０５】
ＷＴＲＵ１０２は、それがＵＬ  ＭＩＭＯ動作を用いて構成され、ランク２送信がアクティブ化されている場合、ハッピービットの値を決定するためのこの方法を使用することができる。ＷＴＲＵ１０２は、ランク２送信がノードＢ１４０a〜１４０cのいずれか１つによってアクティブ化され、許可されている場合であっても、（例えば、電力制限、バッファ制限またはその他などが原因で）ランク１を用いて送信するときに、Ｅ−ＤＰＣＣＨ上のハッピービットを設定するために、これらの基準を使用することもできる。ＷＴＲＵ１０２は、（ランク２送信中に）Ｓ−Ｅ−ＤＰＣＣＨハッピービットフィールド上でハッピービットのこの値を送信し、（プライマリ）Ｅ−ＤＰＣＣＨ上のハッピービットの値を使用するように構成することもできる。
【０２０６】
ランク２送信中にランク１ハピネスを示すハッピービットを決定するための例が、これ以降で開示される。ＷＴＲＵ１０２は、代わりにランク１送信を用いて構成される場合に、それが「ハッピー」であるかどうかを判定することができる。この追加情報は、例えば、無線リソースを最適化するために、ネットワークによって使用することができる。ランク２送信で「ハッピー」であることができるＷＴＲＵは、ランク１送信でもハッピーであることができる。そのような場合、ネットワークは、ランク１のためにＷＴＲＵ１０２を構成して、無線リソースを最適化することができる。セカンダリストリームをハッピーに設定するため、ＷＴＲＵ１０２は、ランク１送信を仮定した基準を使用することができる（例えば、サービンググラントおよびサポートされるＥ−ＴＦＣＩがランク１送信に従って計算される）。例えば、ＷＴＲＵ１０２は、ランク２送信中のＳ−Ｅ−ＤＰＣＣＨ上のハッピービットをこの値になるように設定することができる。
【０２０７】
セカンダリストリームハピネス表示を決定するための例が、これ以降で開示される。ＷＴＲＵ１０２は、Ｓ−Ｅ−ＤＰＣＣＨ上のハッピービットの値を、以下の基準に従って設定することができ、すなわち、ＷＴＲＵ１０２は、サービンググラント（セカンダリストリーム上のセカンダリストリームオフセット）によって許可されたのと同数のビットを送信し、ＷＴＲＵ１０２は、セカンダリストリームのための利用可能な電力に従って、セカンダリストリーム上でより高いレートで送信するのに十分な電力を有し、２以上のストリーム送信が存在する場合、ハッピービットと同じＴＴＩ内でデータを送信するために各ストリームにおけるＥ−ＴＦＣ選択において選択されるものと同じ電力オフセットに基づいて、ＴＥＢＳは、現在の（Ｓｅｒｖｉｎｇ＿Ｇｒａｎｔ×プライマリストリーム上のプロセスの総数に対するアクティブなプロセスの比）プラス（（Ｓｅｒｖｉｎｇ＿Ｇｒａｎｔ−セカンダリストリームオフセット）×セカンダリストリーム上のプロセスの総数に対するアクティブなプロセスの比）を用いて送信されるのに、Ｈａｐｐｙ＿Ｂｉｔ＿Ｄｅｌａｙ＿Ｃｏｎｄｉｔｉｏｎミリ秒よりも多くを必要とすることができる。等価的に、表現「（Ｓｅｒｖｉｎｇ＿Ｇｒａｎｔ−セカンダリストリームオフセット）」は、表現「（Ｖｉｒｔｕａｌ＿Ｓｅｒｖｉｎｇ＿Ｇｒａｎｔ）」または「（Ｖｉｒｔｕａｌ＿ＳＳ＿ＳＧ）」によって置き換えることもできる。
【０２０８】
図３Ｂは、本明細書で与えられる例に従って、アップリンクＭＩＭＯ送信のためのランクを決定するためのプロセスを示している。ＷＴＲＵ１０２は、それの現在の能力および構成を用いてランク２  ＭＩＭＯ送信が可能であるかどうかを決定することができる（３３４）。可能でない場合、ＷＴＲＵ１０２は、ランク１アップリンク送信モードにフォールバックするように構成することができる（３３６）。ＷＴＲＵ１０２は、その後、レガシＥ−ＴＦＣ選択手順を使用して、アップリンク送信フォーマットを決定することができる（３３８）。一方、ランク２  ＭＩＭＯ送信を実行することができる場合、ＷＴＲＵ１０２は、その後、ランク２  ＭＩＭＯを使用して、またはランク２  ＭＩＭＯとして送信することができる（３４０）。
【０２０９】
図３Ｃは、本明細書で与えられる例に従って、プライマリストリームおよびセカンダリストリームのためのＥ−ＤＣＨトランスポートフォーマットコンビネーション（Ｅ−ＴＦＣ）を決定するためのプロセスを示している。ＷＴＲＵ１０２は、プライマリストリームのためのＥ−ＴＦＣを決定し、それがランク２  ＭＩＭＯ送信をサポートすることができるかどうかを判定する（３４２）。その後、ＷＴＲＵ１０２は、セカンダリストリームのためのＥ−ＴＦＣを決定することができる（３４４）。ＷＴＲＵ１０２は、ランク２基準が満たされない場合、ランク１  Ｅ−ＴＦＣ選択を使用することができる（３４６）。異なるランク２基準の例は、上で与えられている。
【０２１０】
図４は、本明細書で与えられる例に従って、ＭＩＭＯ送信のために割り当てられたアップリンクリソースでＷＴＲＵ１０２がハッピー／アンハッピーである場合を決定する一例を示している。ＷＴＲＵ１０２は、割り当てられたサービンググラントをそれが利用しており（４０２）、仮想サービンググラントを利用しており（４０４）、ＷＴＲＵ１０２がＭＩＭＯ送信のためにより高いデータレートで送信するのに十分な電力を有する（４０６）場合、現在の送信においてアンハッピーとすることができる（４０８）。これらの条件のいずれかが満たされない場合、ＷＴＲＵ１０２は、ハッピーとすることができる（４１０）。
【０２１１】
１．ランクおよびオフセット情報を受信するステップと、
オフセット情報およびプライマリストリームの送信電力を使用して、セカンダリストリームのランク２送信において使用するための仮想サービンググラント（ＳＧ）を計算するステップと、
拡張個別チャネル（Ｅ−ＤＣＨ）多入力多出力（ＭＩＭＯ）送信上でデータを送信するステップであって、ＭＩＭＯ送信は、計算された仮想ＳＧに基づいたセカンダリストリームを含む、ステップと
を含む方法。
【０２１２】
２．Ｅ−ＤＣＨパラメータは、ランク２送信のための最小トランスポートブロックサイズを指定する実施形態１に記載の方法。
【０２１３】
３．ランク情報は、ランク２を許可する値またはランク２を許可しない値を示す実施形態１または２に記載の方法。
【０２１４】
４．ランク情報は、送信時間間隔（ＴＴＩ）ベースで適用される実施形態１乃至３のいずれか一項に記載の方法。
【０２１５】
５．拡張トランスポートフォーマットコンビネーションインジケータ（Ｅ−ＴＦＣＩ）がランク２送信のための最小トランスポートブロック（ＴＢ）サイズよりも小さい場合、ランク１のための拡張送信フォーマットコンビネーション（Ｅ−ＴＦＣ）選択手順を実行するステップ
をさらに含む実施形態１乃至４のいずれか一項に記載の方法。
【０２１６】
６．プライマリストリームの拡張送信フォーマットコンビネーション（Ｅ−ＴＦＣ）選択手順の構成に基づいて、セカンダリストリームを送信するステップ
をさらに含む実施形態１乃至５のいずれか一項に記載の方法。
【０２１７】
７．割り当てられたリソースを受信するステップ
をさらに含み、
現在の送信を行っているデバイスが、割り当てられたＳＧを利用しており、計算された仮想ＳＧを利用しており、デバイスが、ＭＩＭＯ送信においてより高いデータレートで送信するのに十分な電力を有する場合、ビットがアンハッピーになるように設定される
実施形態１乃至６のいずれか一項に記載の方法。
【０２１８】
８．再送のための別のセカンダリストリームのための拡張送信フォーマットコンビネーション（Ｅ−ＴＦＣ）選択手順を提供するステップ
をさらに含み、
別のプライマリストリームのためにサポートされるＥ−ＴＦＣが別のプライマリストリーム上の再送のためのブロックサイズよりも小さい場合、ランク１送信を実行する
実施形態１乃至７のいずれか一項に記載の方法。
【０２１９】
９．再送のための別のセカンダリストリームのための拡張送信フォーマットコンビネーション（Ｅ−ＴＦＣ）選択手順を利用するステップ
をさらに含み、
別のプライマリストリームのＳＧに基づいた、スケジュールされたデータのビットの数が、ランク２送信のための最小トランスポートブロックサイズ（ＴＢＳ）よりも大きい場合、計算された仮想ＳＧを使用するように構成される
実施形態１乃至８のいずれか一項に記載の方法。
【０２２０】
１０．ランク２送信のためのプライマリストリームの正規化残余電力マージン（ＮＲＰＭ）を推定するステップであって、プライマリストリームは、実質的にＮＲＰＭの半分を使用するように構成される、ステップ
をさらに含む実施形態１乃至９のいずれか一項に記載の方法。
【０２２１】
１１．サービンググラントおよび／またはＷＴＲＵ電力ヘッドルームに基づいて、Ｅ−ＤＣＨトランスポートフォーマット（Ｅ−ＴＦＣ）、送信電力、および／またはトランスポートブロックサイズを決定するステップをさらに含む実施形態１乃至１０のいずれか一項に記載の方法。
【０２２２】
１２．セカンダリストリームオフセットに基づいて、パラメータを決定するステップをさらに含む実施形態１乃至１１のいずれか一項に記載の方法。
【０２２３】
１３．ランク２パラメータ選択を最初に実行するステップをさらに含み、ＷＴＲＵは、ランク２を用いて送信することができないと判定した場合、フォールバックすることによって、ランク１パラメータ選択を実行する実施形態１乃至１２のいずれか一項に記載の方法。
【０２２４】
１４．ＵＬ  ＭＩＭＯが使用可能でアクティブ化されており、ＵＬ  ＭＩＭＯ送信のための十分なヘッドルームがあり、プライマリストリーム上の選択されたトランスポートブロックサイズが最小値を上回り、セカンダリストリーム上の選択されたトランスポートブロックサイズが最小値を上回るという条件で、ランク２を用いて送信するステップ
をさらに含む実施形態１乃至１３のいずれか一項に記載の方法。
【０２２５】
１５．プライマリストリーム、セカンダリストリーム、または両方のためのランク２送信を仮定して、１組のサポートされるＥ−ＴＦＣを決定するステップをさらに含む実施形態１乃至１４のいずれか一項に記載の方法。
【０２２６】
１６．ランク２固有の１組の基準電力オフセットおよびＥ−ＤＣＨトランスポートフォーマットコンビネーションインデックス（Ｅ−ＴＦＣＩ）を使用するステップをさらに含む実施形態１乃至１５のいずれか一項に記載の方法。
【０２２７】
１７．オフセットをランク２送信のための１組の基準電力オフセットに適用するステップをさらに含む実施形態１乃至１６のいずれか一項に記載の方法。
【０２２８】
１８．ランク２送信のためにサポートされる１組のＥ−ＴＦＣは、それらの相対電力がランク２正規化残余電力マージン（ＮＲＰＭ）の少なくとも２倍であるようなものである実施形態１乃至１７のいずれか一項に記載の方法。
【０２２９】
１９．セカンダリストリームのためのサポートされるＥ−ＴＦＣＩは、電力ヘッドルームおよび伝達されたセカンダリストリームオフセットに依存する実施形態１乃至１８のいずれか一項に記載の方法。
【０２３０】
２０．ＮＲＰＭのストリーム固有の値を決定するステップをさらに含む実施形態１乃至１９のいずれか一項に記載の方法。
【０２３１】
２１．各ストリームのためのトランスポートブロックサイズを独立に決定するステップをさらに含む実施形態１乃至２０のいずれか一項に記載の方法。
【０２３２】
２２．ハイブリッド自動再送要求（ＨＡＲＱ）プロファイルおよびＮＲＰＭに基づいて、各ストリームのための最大のサポートされるペイロードを決定するステップをさらに含む実施形態１乃至２１のいずれか一項に記載の方法。
【０２３３】
２３．単一のＳＧを用いて構成するステップをさらに含む実施形態１乃至２２のいずれか一項に記載の方法。
【０２３４】
２４．ランク２を用いて送信する場合、セカンダリストリームオフセットによって調整された同じＳＧをセカンダリストリーム上で使用するステップをさらに含む実施形態１乃至２３のいずれか一項に記載の方法。
【０２３５】
２５．ＳＧおよびセカンダリ電力オフセットに基づいた、セカンダリストリーム上で送信することができるビットの最大数を使用するステップをさらに含む実施形態１乃至２４のいずれか一項に記載の方法。
【０２３６】
２６．連続して各ストリームのためのトランスポートブロックサイズを決定するステップをさらに含む実施形態１乃至２５のいずれか一項に記載の方法。
【０２３７】
２７．プライマリストリームのＥ−ＴＦＣ選択からもたらされる送信パラメータを、セカンダリストリームＥ−ＴＦＣ選択プロセスへの入力として使用するステップをさらに含む実施形態１乃至２６のいずれか一項に記載の方法。
【０２３８】
２８．セカンダリストリームが搬送するビットの数を決定するために、プライマリストリームＥ−ＤＰＤＣＨ電力比およびセカンダリストリーム電力オフセットを使用するステップをさらに含む実施形態１乃至２７のいずれか一項に記載の方法。
【０２３９】
２９．セカンダリストリームトランスポートブロックサイズを独立に使用するステップをさらに含む実施形態１乃至２８のいずれか一項に記載の方法。
【０２４０】
３０．ヘッドルームおよびセカンダリストリームオフセットに基づいた、セカンダリストリームトランスポートブロックサイズを使用するステップをさらに含む実施形態１乃至２９のいずれか一項に記載の方法。
【０２４１】
３１．プライマリストリームＥ−ＴＦＣ選択からもたらされる利得係数を使用するステップをさらに含む実施形態１乃至３０のいずれか一項に記載の方法。
【０２４２】
３２．セカンダリストリームＥ−ＴＦＣ選択からもたらされる利得係数を使用するステップをさらに含む実施形態１乃至３１のいずれか一項に記載の方法。
【０２４３】
３３．両方のストリームのためのＥ−ＴＦＣ選択からもたらされる２つの利得係数のうちの大きい方を使用するステップをさらに含む実施形態１乃至３２のいずれか一項に記載の方法。
【０２４４】
３４．スケジュールされていない送信のためのビットの単一の総数を用いて構成するステップをさらに含む実施形態１乃至３３のいずれか一項に記載の方法。
【０２４５】
３５．プライマリストリームが残したスケジュールされていないビットを、セカンダリストリームのためのスケジュールされていないビットの最大数として使用するステップをさらに含む実施形態１乃至３４のいずれか一項に記載の方法。
【０２４６】
３６．スケジュールされていないビットのストリーム毎の数を使用するステップをさらに含む実施形態１乃至３５のいずれか一項に記載の方法。
【０２４７】
３７．利用可能な電力の関数に基づいた、セカンダリストリームおよび／またはプライマリストリームのための有効なサービンググラントを使用するステップをさらに含む実施形態１乃至３６のいずれか一項に記載の方法。
【０２４８】
３８．利用可能な電力がＳＧを最大として送信するのに十分ではないという条件で、ＳＧをスケーリングするステップをさらに含む実施形態１乃至３７のいずれか一項に記載の方法。
【０２４９】
３９．プライマリストリームおよびセカンダリストリームのためのＳＧをスケーリングする場合、スケジュールされていない送信を考慮しないステップをさらに含む実施形態１乃至３８のいずれか一項に記載の方法。
【０２５０】
４０．セカンダリストリームのためのＳＧをスケーリングするためのスケーリング係数は、ＮＲＰＭに基づいて決定される実施形態１乃至３９のいずれか一項に記載の方法。
【０２５１】
４１．仮想セカンダリストリームサービンググラントは、セカンダリストリームに適用されるオフセットに基づいて決定される実施形態１乃至４０のいずれか一項に記載の方法。
【０２５２】
４２．セカンダリストリームのためのＳＧをスケーリングするためのスケーリング係数は、プライマリストリーム上の実際の選択された送信電力に基づいて決定される実施形態１乃至４１のいずれか一項に記載の方法。
【０２５３】
４３．プライマリストリームおよびセカンダリストリームのためのＳＧをスケーリングする場合、スケジュールされていない送信を考慮するステップをさらに含む実施形態１乃至４２のいずれか一項に記載の方法。
【０２５４】
４４．プライマリストリームおよびセカンダリストリームのための有効なサービンググラントを決定するステップをさらに含む実施形態１乃至４３のいずれか一項に記載の方法。
【０２５５】
４５．有効なサービンググラントは、スケジュールされた送信のためのサービンググラントおよびスケジュールされていない送信のためのグラントに基づいて決定される実施形態１乃至４４のいずれか一項に記載の方法。
【０２５６】
４６．セカンダリストリームのための有効なサービンググラントは、セカンダリストリームのためのオフセットにさらに基づいて決定される実施形態１乃至４５のいずれか一項に記載の方法。
【０２５７】
４７．以下の基準が、すなわち、サービンググラントならびにプライマリストリームおよび／またはセカンダリストリーム上のスケジュールされていないデータに基づいた最大の許可されたトランスポートブロックサイズ（ＴＢＳ）が、最小の許可されたデュアルストリームＴＢＳ以上であり、プライマリストリームまたは両方のストリーム上のランク２送信のための利用可能な電力に基づいた最大Ｅ−ＴＦＣＩが、最小の許可されたデュアルストリームＴＢＳ以上であり、ならびに両方のストリーム上で送信することができるビットの総数が、最小の許可されたデュアルストリームＴＢＳ以上であるという基準が満たされる場合、ランク２送信のためのサポートを決定するステップをさらに含む実施形態１乃至４６のいずれか一項に記載の方法。
【０２５８】
４８．利用可能な電力に基づいて、デュアルストリーム動作がサポートされるかどうかを判定するステップをさらに含む実施形態１乃至４７のいずれか一項に記載の方法。
【０２５９】
４９．ネットワークから送信された信号に基づいて、セカンダリストリームオフセットを決定するステップをさらに含む実施形態１乃至４８のいずれか一項に記載の方法。
【０２６０】
５０．セカンダリストリームオフセットは、サービンググラントに対するインデックスオフセットとして伝達される実施形態１乃至４９のいずれか一項に記載の方法。
【０２６１】
５１．ベースラインおよびインデックスに基づいて、セカンダリストリームのための仮想サービンググラントを決定するステップをさらに含む実施形態１乃至５０のいずれか一項に記載の方法。
【０２６２】
５２．ベースラインは、現在のサービンググラントである実施形態１乃至５１のいずれか一項に記載の方法。
【０２６３】
５３．ベースラインは、絶対グラントの最新値である実施形態１乃至５２のいずれか一項に記載の方法。
【０２６４】
５４．ベースラインは、最新の絶対グラント以降に受信されたいずれの非サービング相対グラントも無視したサービンググラントの最新値である実施形態１乃至５３のいずれか一項に記載の方法。
【０２６５】
５５．セカンダリストリームのための仮想グラントをサービンググラントと比較することによってセカンダリストリームオフセットを決定するステップをさらに含む実施形態１乃至５４のいずれか一項に記載の方法。
【０２６６】
５６．Ｅ−ＴＦＣは、ＵＬ  ＭＩＭＯのためにＴＴＩベースで実行される実施形態１乃至５５のいずれか一項に記載の方法。
【０２６７】
５７．ＵＬ  ＭＩＭＯ動作がサポートされ、ＵＬ  ＭＩＭＯが構成され、ＵＬ  ＭＩＭＯが使用可能にされ、またはＵＬ  ＭＩＭＯがアクティブ化されることが仮定される実施形態１乃至５６のいずれか一項に記載の方法。
【０２６８】
５８．ランク２パラメータ選択が最初に試みられ、その後、ランク２を送信することができないと判定された場合、ランク１送信にフォールバックし、レガシＥ−ＴＦＣ選択手順を実行する実施形態１乃至５７のいずれか一項に記載の方法。
【０２６９】
５９．ランク２送信を仮定した１組のサポートされるＥ−ＴＦＣは、プライマリストリーム、セカンダリストリーム、または両方のためのランク２送信を仮定して決定される実施形態１乃至５８のいずれか一項に記載の方法。
【０２７０】
６０．ランク２送信を仮定した場合、ランク２固有の１組の基準電力オフセットおよびＥ−ＴＦＣＩを使用し、またはペナルティオフセットを既存の１組の基準電力オフセットに適用する実施形態１乃至５９のいずれか一項に記載の方法。
【０２７１】
６１．アップリンクＭＩＭＯリソースが十分であるかどうかを判定するために、ハッピービットが使用される実施形態１乃至６０のいずれか一項に記載の方法。
【０２７２】
６２．ランク２のためのアップリンクＭＩＭＯ  Ｅ−ＴＦＣ選択は、閾値と比較されたトランスポートブロックサイズに基づいて、プライマリおよびセカンダリストリームのために決定される実施形態１乃至６１のいずれか一項に記載の方法。
【０２７３】
６３．セカンダリストリームのための仮想グラントをサービンググラントと比較することによって、セカンダリストリームオフセットを決定するステップをさらに含む実施形態１乃至６２のいずれか一項に記載の方法。
【０２７４】
６４．ＨＡＲＱプロセスベースでランク２送信のために構成するステップをさらに含む実施形態１乃至６３のいずれか一項に記載の方法。
【０２７５】
６５．いくつかのＨＡＲＱプロセスは、デュアルストリーム動作のために構成され、一方、他のＨＡＲＱプロセスは、非アクティブ化され、またはランク１送信のために構成される実施形態１乃至６４のいずれか一項に記載の方法。
【０２７６】
６６．プライマリストリームトランスポートフォーマット（ＴＦ）が２＊ＳＦ2＋２＊ＳＦ4である場合、ランク２送信が許可されることを決定するステップをさらに含む実施形態１乃至６５のいずれか一項に記載の方法。
【０２７７】
６７．プライマリストリームおよびセカンダリストリームのためにそれぞれＥ−ＤＣＨ個別物理制御チャネル（Ｅ−ＤＰＣＣＨ）およびセカンダリＥ−ＤＰＣＣＨ（Ｓ−Ｅ−ＤＰＣＣＨ）を送信するステップをさらに含む実施形態１乃至６６のいずれか一項に記載の方法。
【０２７８】
６８．Ｓ−Ｅ−ＤＰＣＣＨ上のセカンダリハッピービットの値をＥ−ＤＰＣＣＨ上のハッピービットと同じ値になるように設定するステップをさらに含む実施形態１乃至６７のいずれか一項に記載の方法。
【０２７９】
６９．ハッピービットを設定するために、デバイスが、より高いデータレートで送信するために利用可能な十分な電力をそれが有するかどうかを検査する実施形態１乃至６８のいずれか一項に記載の方法。
【０２８０】
７０．ランク２送信を仮定してプライマリストリーム上でより高いデータレートで送信するために十分な電力が利用可能であるかどうかを検査するステップをさらに含む実施形態１乃至６９のいずれか一項に記載の方法。
【０２８１】
７１．プライマリおよびセカンダリストリーム上でより高いデータレートで送信するために十分な電力が利用可能であるかどうかを検査するステップをさらに含む実施形態１乃至７０のいずれか一項に記載の方法。
【０２８２】
７２．デバイスは、２以上のストリーム送信が存在する場合、ハッピービットと同じＴＴＩ内でデータを送信するために各ストリームにおけるＥ−ＴＦＣ選択で選択されたものと同じ電力オフセットに基づいて、合計Ｅ−ＤＣＨバッファステータス（ＴＥＢＳ）は、現在の（Ｓｅｒｖｉｎｇ＿Ｇｒａｎｔ×プライマリストリーム上のプロセスの総数に対するアクティブなプロセスの比）プラス（（Ｓｅｒｖｉｎｇ＿Ｇｒａｎｔ−セカンダリストリームオフセット）×セカンダリストリーム上のプロセスの総数に対するアクティブなプロセスの比）を用いて送信されるのに、Ｈａｐｐｙ＿Ｂｉｔ＿Ｄｅｌａｙ＿Ｃｏｎｄｉｔｉｏｎミリ秒よりも多くを必要とすることを決定する実施形態１乃至７１のいずれか一項に記載の方法。
【０２８３】
７３．ランク２送信中にランク１ハピネスを示すハッピービットをデバイスによって送信するステップをさらに含む実施形態１乃至７２のいずれか一項に記載の方法。
【０２８４】
７４．デバイスは、デバイスがサービンググラントによって許可されたのと同数のビットを送信している、またはデバイスが、セカンダリストリームのための利用可能な電力によれば、セカンダリストリーム上でより高いレートで送信するのに十分な電力を有するという条件で、セカンダリストリームのためのハッピービットを「ハッピー」になるように設定する実施形態１乃至７３のいずれか一項に記載の方法。
【０２８５】
７５．デバイスは、２以上のストリーム送信が存在し、ハッピービットと同じＴＴＩ内でデータを送信するために各ストリームにおけるＥ−ＴＦＣ選択で選択されたものと同じ電力オフセットに基づいて、ＴＥＢＳは、現在の（Ｓｅｒｖｉｎｇ＿Ｇｒａｎｔ×プライマリストリーム上のプロセスの総数に対するアクティブなプロセスの比）プラス（（Ｓｅｒｖｉｎｇ＿Ｇｒａｎｔ−セカンダリストリームオフセット）×セカンダリストリーム上のプロセスの総数に対するアクティブなプロセスの比）を用いて送信されるのに、Ｈａｐｐｙ＿Ｂｉｔ＿Ｄｅｌａｙ＿Ｃｏｎｄｉｔｉｏｎミリ秒よりも多くを必要とするという条件で、セカンダリストリームのためのハッピービットを「ハッピー」になるように設定する実施形態１乃至７４のいずれか一項に記載の方法。
【０２８６】
７６．ランク２を使用して送信することができる最低のサポートされるＥ−ＴＦＣＩおよびゼロを用いたパディングを使用するステップをさらに含む実施形態１乃至７５のいずれか一項に記載の方法。
【０２８７】
７７．制限なしにセカンダリストリーム上でＥ−ＴＦＣＩを決定し、レートマッチングを適用するステップをさらに含む実施形態１乃至７６のいずれか一項に記載の方法。
【０２８８】
７８．プライマリストリーム、セカンダリストリーム、または両方を再送するステップをさらに含む実施形態１乃至７７のいずれか一項に記載の方法。
【０２８９】
７９．セカンダリストリームのための新しいトランスポートブロックを生成すべきかどうかを判定するステップをさらに含む実施形態１乃至７８のいずれか一項に記載の方法。
【０２９０】
８０．デバイスが十分な電力ヘッドルームおよび送信すべきデータを有する場合、新しいトランスポートブロックを生成するステップをさらに含む実施形態１乃至７９のいずれか一項に記載の方法。
【０２９１】
８１．ランク２送信を仮定したＥ−ＴＦＣ制約手順を実行することによって、デバイスがランク２を用いて送信するのに十分な電力ヘッドルームを有するかどうかを判定するステップをさらに含む実施形態１乃至８０のいずれか一項に記載の方法。
【０２９２】
８２．サービンググラントの最新値がランク２送信をサポートするかどうかを判定するステップをさらに含む実施形態１乃至８１のいずれか一項に記載の方法。
【０２９３】
８３．デバイスが、セカンダリストリーム上で再送するステップと、デバイスが、ランク２送信を許可され、送信するのに十分な電力を有し、そのバッファ内にデータを有する場合、プライマリストリーム上で新しい送信を生成するステップとをさらに含む実施形態１乃至８２のいずれか一項に記載の方法。
【０２９４】
８４．プライマリストリーム電力がセカンダリストリーム電力よりも小さいという条件で、プライマリストリームをスケールアップするステップをさらに含む実施形態１乃至８３のいずれか一項に記載の方法。
【０２９５】
８５．プライマリストリーム電力がセカンダリストリーム電力よりも小さいという条件で、セカンダリストリームをスケールダウンするステップをさらに含む実施形態１乃至８４のいずれか一項に記載の方法。
【０２９６】
８６．プライマリストリーム電力がセカンダリストリーム電力よりも大きいという条件で、セカンダリストリームをスケールアップするステップをさらに含む実施形態１乃至８５のいずれか一項に記載の方法。
【０２９７】
８７．セカンダリストリーム再送を考慮せず、ランク２送信を仮定して、プライマリストリーム上でＥ−ＴＦＣ選択を実行するステップをさらに含む実施形態１乃至８６のいずれか一項に記載の方法。
【０２９８】
８８．プライマリストリームＥ−ＴＦＣＩおよび関連する利得係数が決定されると、デバイスは、ランク２送信を行うべきかどうかを判定する実施形態１乃至８７のいずれか一項に記載の方法。
【０２９９】
８９．デバイスは、セカンダリストリーム電力をプライマリストリーム電力になるように設定する実施形態１乃至８８のいずれか一項に記載の方法。
【０３００】
９０．デバイスは、プライマリストリーム電力がセカンダリストリームのために十分かどうかを最初に判定し、十分でない場合、デバイスは、プライマリストリーム電力およびセカンダリストリーム電力を、セカンダリストリームによって必要とされる最小電力になるように設定する実施形態１乃至８９のいずれか一項に記載の方法。
【０３０１】
９１．送信電力が最大ヘッドルームを超えたという条件で、電力スケーリングをデバイスによって適用するステップをさらに含む実施形態１乃至９０のいずれか一項に記載の方法。
【０３０２】
９２．ランク２送信を実行する場合、プライマリストリーム上ではそのスケジュールされていないグラントの半分を最大として使用し、セカンダリストリーム上ではそのスケジュールされていないグラントの半分を最大として使用するステップをさらに含む実施形態１乃至９１のいずれか一項に記載の方法。
【０３０３】
９３．ランク２送信を実行する場合、プライマリストリーム上ではそのスケジュールされていないグラントの半分を最大として使用し、セカンダリストリーム上ではスケジュールされていないグラントの残量を使用するステップをさらに含む実施形態１乃至９２のいずれか一項に記載の方法。
【０３０４】
９４．複数のストリーム上でのＥ−ＤＣＨ送信のための、最大のサポートされるペイロード、残りのスケジュールされたグラントペイロード、およびグラントされたペイロードの合計を決定するステップをさらに含む実施形態１乃至９３のいずれか一項に記載の方法。
【０３０５】
９５．拡張個別チャネル（Ｅ−ＤＣＨ）のためのアップリンク（ＵＬ）多入力多出力（ＭＩＭＯ）送信パラメータを制御するための方法であって、
無線送受信ユニット（ＷＴＲＵ）が、複数のストリームについてＥ−ＤＣＨ送信のためのパラメータを決定するステップと、
ＷＴＲＵが、ＥＤＣＨ送信を送信するステップと
を含み、
ＷＴＲＵは、サービンググラントをスケーリングする場合、スケジュールされていない送信を考慮する
方法。
【０３０６】
９６．実施形態１乃至９５のいずれかに記載の方法を実行するように構成された無線送受信ユニット（ＷＴＲＵ）。
【０３０７】
９７．送受信機をさらに備える実施形態９６に記載のＷＴＲＵ。
【０３０８】
９８．プロセッサをさらに備える実施形態９６または９７に記載のＷＴＲＵ。
【０３０９】
９９．プロセッサは、実施形態１乃至９４のいずれかに記載の方法を実行するように構成される実施形態９６乃至９８のいずれかに記載のＷＴＲＵ。
【０３１０】
１００．実施形態１乃至９４のいずれかに記載の方法を実行するように構成された基地局。
【０３１１】
１０１．実施形態１乃至９４のいずれかに記載の方法を実行するように構成された集積回路（ＩＣ）。
【０３１２】
１０２．実施形態１乃至９４のいずれかに記載の方法を実行するように構成されたアクセスポイント。
【０３１３】
１０３．実施形態１乃至９４のいずれかに記載の方法を実行するように構成された局。
【０３１４】
１０４．実施形態１乃至９４のいずれかに記載の方法を実行するように構成された無線送受信ユニット（ＷＴＲＵ）。
【０３１５】
１０５．送受信機をさらに備える実施形態１０４に記載のＷＴＲＵ。
【０３１６】
１０６．プロセッサをさらに備える実施形態１乃至９４のいずれかに記載のＷＴＲＵ。
【０３１７】
１０７．プロセッサは、実施形態１乃至９４のいずれかに記載するように構成される実施形態１乃至９４のいずれかに記載のＷＴＲＵ。
【０３１８】
１０８．実施形態１乃至９４のいずれかに記載するように構成される基地局。
【０３１９】
１０９．実施形態１乃至９４のいずれかに記載するように構成される集積回路（ＩＣ）。
【０３２０】
１１０．実施形態１乃至９４のいずれかに記載するように構成されるアクセスポイント。
【０３２１】
１１１．実施形態１乃至９４のいずれかに記載するように構成される局。
【０３２２】
上では特徴および要素が特定の組み合わせで説明されたが、各特徴または要素は、単独で使用することができ、または他の特徴および要素との任意の組み合わせで使用することができることを当業者は理解されよう。加えて、本明細書で説明された方法は、コンピュータまたはプロセッサによって実行される、コンピュータ可読媒体内に包含された、コンピュータプログラム、ソフトウェア、またはファームウェアで実施することができる。コンピュータ可読媒体の例は、（有線または無線接続上で送信される）電子信号、およびコンピュータ可読記憶媒体を含む。コンピュータ可読記憶媒体の例は、リードオンリメモリ（ＲＯＭ）、ランダムアクセスメモリ（ＲＡＭ）、レジスタ、キャッシュメモリ、半導体メモリデバイス、内蔵ハードディスクおよび着脱可能ディスクなどの磁気媒体、光磁気媒体、ならびにＣＤ−ＲＯＭディスクおよびデジタル多用途ディスク（ＤＶＤ）などの光媒体を含むが、それらに限定されない。ソフトウェアと連携するプロセッサは、ＷＴＲＵ、ＵＥ、端末、基地局、ＲＮＣ、または任意のホストコンピュータで使用するための無線周波送受信機を実施するために使用することができる。
【図１Ａ】
2015525537.tif 000017
【図１Ｂ】
2015525537.tif 000018
【図１Ｃ】
2015525537.tif 000019
【図２】
2015525537.tif 000020
【図３Ａ】
2015525537.tif 000021
【図３Ｂ】
2015525537.tif 000022
【図３Ｃ】
2015525537.tif 000023
【図４】
2015525537.tif 000024
【国際調査報告】
2015525537.tif 000025
2015525537.tif 000026
2015525537.tif 000027
2015525537.tif 000028
2015525537.tif 000029